(57)【要約】  本発明は、ルータ設定インターフェイス表示方法、装置、プログラム及び記録媒体に関し、無線通信分野に関する。前記方法は、無線ルータが送信したブロードキャスト情報を受信して、前記ブロードキャスト情報中に含まれた設定パラメータを取得するステップと、前記設定パラメータに基づいて前記無線ルータが初期化されているか否かを検出するステップと、検出結果が前記無線ルータが初期化されていない状態の場合に、前記端末と前記無線ルータとの間の接続チャンネルを構築するステップと、前記接続チャンネルを介して前記無線ルータの設定インターフェイスを取得して表示するステップとを含む。【選択図】図２
2017505087.tif 000002
【特許請求の範囲】
【請求項１】
端末に適用されるルータ設定インターフェイス表示方法であって、
無線ルータが送信したブロードキャスト情報を受信して、前記ブロードキャスト情報中に含まれた設定パラメータを取得するステップと、
前記設定パラメータに基づいて前記無線ルータが初期化されているか否かを検出するステップと、
検出結果が前記無線ルータが初期化されていない状態の場合に、前記端末と前記無線ルータとの間の接続チャンネルを構築するステップと、
前記接続チャンネルを介して前記無線ルータの設定インターフェイスを取得して表示するステップと
を含むことを特徴とするルータ設定インターフェイス表示方法。
【請求項２】
前記ブロードキャスト情報中には、ルーティング管理フレームが含まれており、
前記ブロードキャスト情報中の設定パラメータを取得するステップは、
前記ルーティング管理フレームのＷＳＣ（Ｗｉ−Ｆｉ Ｓｉｍｐｌｅ Ｃｏｎｆｉｇｕｒａｔｉｏｎ）中のＷＳＣＳ（Ｗｉ−Ｆｉ Ｓｉｍｐｌｅ Ｃｏｎｆｉｇｕｒａｔｉｏｎ Ｓｔａｔｅ）を取得するステップ
を含むことを特徴とする請求項１に記載のルータ設定インターフェイス表示方法。
【請求項３】
前記設定パラメータに基づいて前記無線ルータが初期化されているか否かを検出するステップは、
前記ＷＳＣＳのプロパティ値を認識するステップと、
前記ＷＳＣＳのプロパティ値が０ｘ０１であると、前記無線ルータが初期化されていないと特定するステップと、
前記ＷＳＣＳのプロパティ値が０ｘ０２であると、前記無線ルータが既に初期化されていると特定するステップと
を含むことを特徴とする請求項２に記載のルータ設定インターフェイス表示方法。
【請求項４】
前記端末と前記無線ルータとの間の接続チャンネルを構築する前に、
前記無線ルータの設定を選択するか否かをプロンプトするためのプロンプト情報を表示するステップ
を、さらに、含むことを特徴とする請求項１に記載のルータ設定インターフェイス表示方法。
【請求項５】
前記端末と前記無線ルータとの間の接続チャンネルを構築するステップは、
前記無線ルータの設定を選択したことが検出されると、前記端末と前記無線ルータとの間の接続チャンネルを構築するステップ
を含むことを特徴とする請求項４に記載のルータ設定インターフェイス表示方法。
【請求項６】
無線ルータに適用されるルータ設定インターフェイス表示方法であって、
前記無線ルータの初期化状態を特定するステップと、
前記初期化状態に基づいて送信待ちのブロードキャスト情報中の設定パラメータを設定するステップと、
設定パラメータを設定した後の前記ブロードキャスト情報を送信するステップと
を含み、
ここで、前記ブロードキャスト情報は、端末が、前記設定パラメータに基づいて前記無線ルータが初期化されていないことが検出されると、前記端末と前記無線ルータとの間の接続チャンネルを構築し、また、前記接続チャンネルを介して前記無線ルータの設定インターフェイスを取得して表示するように、指示するための情報である
ことを特徴とするルータ設定インターフェイス表示方法。
【請求項７】
前記ブロードキャスト情報中には、ルーティング管理フレームが含まれており、
前記初期化状態に基づいて送信待ちのブロードキャスト情報中の設定パラメータを設定するステップは、
前記無線ルータの初期化状態が初期化されていない状態であると、前記ルーティング管理フレーム中のＷＳＣＳのプロパティ値を０ｘ０１に設定するステップと、
前記無線ルータの初期化状態が既に初期化されている状態であると、前記ルーティング管理フレーム中のＷＳＣＳのプロパティ値を０ｘ０２に設定するステップと
を含むことを特徴とする請求項６に記載のルータ設定インターフェイス表示方法。
【請求項８】
端末に適用されるルータ設定インターフェイス表示装置であって、
無線ルータが送信したブロードキャスト情報を受信するためのブロードキャスト受信モジュールと、
前記ブロードキャスト情報中に含まれた設定パラメータを取得するためのパラメータ取得モジュールと、
前記設定パラメータに基づいて前記無線ルータが初期化されているか否かを検出するための検出モジュールと、
前記検出モジュールの検出結果が、前記無線ルータが初期化されていない状態の場合に、前記端末と前記無線ルータとの間の接続チャンネルを構築するための接続構築モジュールと、
前記接続チャンネルを介して前記無線ルータの設定インターフェイスを取得するためのインターフェイス取得モジュールと、
前記インターフェイス取得モジュールが取得した前記設定インターフェイスを表示するためのインターフェイス表示モジュールと
を備えることを特徴とするルータ設定インターフェイス表示装置。
【請求項９】
前記ブロードキャスト情報中には、ルーティング管理フレームが含まれており、
前記パラメータ取得モジュールは、前記ルーティング管理フレームのＷＳＣ中のＷＳＣＳを取得する
ことを特徴とする請求項８に記載のルータ設定インターフェイス表示装置。
【請求項１０】
前記検出モジュールは、
前記ＷＳＣＳのプロパティ値を認識するための認識サブモジュールと、
前記ＷＳＣＳのプロパティ値が０ｘ０１であると、前記無線ルータが初期化されていないと特定するための第１特定サブモジュールと、
前記ＷＳＣＳのプロパティ値が０ｘ０２であると、前記無線ルータが既に初期化されていると特定するための第２特定サブモジュールと
を備えることを特徴とする請求項９に記載のルータ設定インターフェイス表示装置。
【請求項１１】
前記接続構築モジュールが前記端末と前記無線ルータとの間の接続を構築する前に、前記無線ルータの設定を選択するか否かをプロンプトするためのプロンプト情報を表示するためのプロンプト情報表示モジュール
を、さらに、備えることを特徴とする請求項８に記載のルータ設定インターフェイス表示装置。
【請求項１２】
前記接続構築モジュールは、前記無線ルータの設定を選択したことが検出されると、前記端末と前記無線ルータとの間の接続チャンネルを構築する
ことを特徴とする請求項１１に記載のルータ設定インターフェイス表示装置。
【請求項１３】
無線ルータに適用されるルータ設定インターフェイス表示装置であって、
前記無線ルータの初期化状態を特定するための状態特定モジュールと、
前記初期化状態に基づいて送信待ちのブロードキャスト情報中の設定パラメータを設定するためのパラメータ設定モジュールと、
設定パラメータを設定した後の前記ブロードキャスト情報を送信するための情報送信モジュールと
を備え、
ここで、前記ブロードキャスト情報は、端末が、前記設定パラメータに基づいて前記無線ルータが初期化されていないことが検出されると、前記端末と前記無線ルータとの間の接続チャンネルを構築し、また、前記接続チャンネルを介して前記無線ルータの設定インターフェイスを取得して表示するように、指示するための情報である
ことを特徴とするルータ設定インターフェイス表示装置。
【請求項１４】
前記ブロードキャスト情報中には、ルーティング管理フレームが含まれており、
前記パラメータ設定モジュールは、
前記無線ルータの初期化状態が初期化されていない状態であると、前記ルーティング管理フレーム中のＷＳＣＳのプロパティ値を０ｘ０１に設定するための第１設定サブモジュールと、
前記無線ルータの初期化状態が既に初期化されている状態であると、前記ルーティング管理フレーム中のＷＳＣＳのプロパティ値を０ｘ０２に設定するための第２設定サブモジュールと
を備えることを特徴とする請求項１３に記載のルータ設定インターフェイス表示装置。
【請求項１５】
端末に適用されるルータ設定インターフェイス表示装置であって、
プロセッサと、
前記プロセッサが実行可能な命令を記憶するためのメモリと
を備え、
前記プロセッサは、
無線ルータが送信したブロードキャスト情報を受信して、前記ブロードキャスト情報中に含まれた設定パラメータを取得し、
前記設定パラメータに基づいて前記無線ルータが初期化されているか否かを検出し、
検出結果が前記無線ルータが初期化されていない状態の場合に、前記端末と前記無線ルータとの間の接続チャンネルを構築し、
前記接続チャンネルを介して前記無線ルータの設定インターフェイスを取得して表示するように構成される
ことを特徴とするルータ設定インターフェイス表示装置。
【請求項１６】
無線ルータに適用されるルータ設定インターフェイス表示装置であって、
プロセッサと、
前記プロセッサが実行可能な命令を記憶するためのメモリと
を備え、
前記プロセッサは、
前記無線ルータの初期化状態を特定し、
前記初期化状態に基づいて送信待ちのブロードキャスト情報中の設定パラメータを設定し、
設定パラメータを設定した後の前記ブロードキャスト情報を送信するように構成され、
ここで、前記ブロードキャスト情報は、端末が、前記設定パラメータに基づいて前記無線ルータが初期化されていないことが検出されると、前記端末と前記無線ルータとの間の接続チャンネルを構築し、また、前記接続チャンネルを介して前記無線ルータの設定インターフェイスを取得して表示するように、指示するための情報である
ことを特徴とするルータ設定インターフェイス表示装置。
【発明の詳細な説明】
【技術分野】
【０００１】
本発明は、無線通信分野に関し、特に、ルータ設定インターフェイス表示方法、及び装置に関する。
【背景技術】
【０００２】
無線ルータは、有線または無線のネットワークに接続させるための通信デバイスであり、無線信号を送受信して無線ＬＡＮを構築する。無線ルータは、初めて起動するか、或いは、出荷時設定にリカバリされた後に、初期化設定を実行した後にのみ正常のネットワークサービスを提供することができる。
【０００３】
ユーザがスマートフォンを使用して無線ルータに対して初期化設定を行う例を挙げると、関連技術では、ユーザは、無線ルータを始めて起動した後に、スマートフォンを使用して周囲の無線ネットワークをスキャンして、スキャンして取得した無線接続ネットワークリスト中から、当該無線ルータを選択して接続する。ユーザは、接続できた後に、スマートフォン内のブラウザを起動して、管理画面アドレスを入力する。ブラウザは、当該管理画面アドレスに基づいて、無線ルータから設定インターフェイスを取得して表示させることにより、ユーザが設定インターフェイスにおいて当該無線ルータに対して初期化設定を行うようにする。
【０００４】
関連技術の構成において、ユーザは、無線ルータに対して初期化設定を行う時に、スマートフォンと無線ルータとの間の接続を構築し、また、管理画面アドレスを手動的に入力しなければならなく、操作過程がより複雑になり、ユーザエクスペリエンスが悪い。
【発明の概要】
【発明が解決しようとする課題】
【０００５】
本発明は、関連技術でのユーザが無線ルータに対して初期化設定を行う時に、スマートフォンと無線ルータとの間の接続を構築し、また、管理画面アドレスを手動的に入力するため、操作過程が複雑になる問題を解決するために、以下のルータ設定インターフェイス表示方法、及び装置を提供する。
【課題を解決するための手段】
【０００６】
本発明の実施例に係る第１の態様によると、端末に適用されるルータ設定インターフェイス表示方法を提供する。
【０００７】
当該方法は、
無線ルータが送信したブロードキャスト情報を受信して、前記ブロードキャスト情報中に含まれた設定パラメータを取得するステップと、
前記設定パラメータに基づいて、前記無線ルータが初期化されているか否かを検出するステップと、
検出結果が前記無線ルータが初期化されていない状態の場合に、前記端末と前記無線ルータとの間の接続チャンネルを構築するステップと、
前記接続チャンネルを介して前記無線ルータの設定インターフェイスを取得して表示するステップと
を含む。
【０００８】
オプションとして、前記ブロードキャスト情報中には、ルーティング管理フレームが含まれており、
前記ブロードキャスト情報中の設定パラメータを取得するステップは、
前記ルーティング管理フレームのＷＳＣ（Ｗｉ−Ｆｉ Ｓｉｍｐｌｅ Ｃｏｎｆｉｇｕｒａｔｉｏｎ）中のＷＳＣＳ（Ｗｉ−Ｆｉ Ｓｉｍｐｌｅ Ｃｏｎｆｉｇｕｒａｔｉｏｎ Ｓｔａｔｅ）を取得するステップ
を含む。
【０００９】
オプションとして、前記設定パラメータに基づいて前記無線ルータが初期化されているか否かを検出するステップは、
前記ＷＳＣＳのプロパティ値を認識するステップと、
前記ＷＳＣＳのプロパティ値が０ｘ０１であると、前記無線ルータが初期化されていないと特定するステップと、
前記ＷＳＣＳのプロパティ値が０ｘ０２であると、前記無線ルータが既に初期化されていると特定するステップと
を含む。
【００１０】
オプションとして、前記端末と前記無線ルータとの間の接続を構築する前に、
前記無線ルータの設定を選択するか否かをプロンプトするためのプロンプト情報を表示するステップ
を、さらに、含む。
【００１１】
オプションとして、前記端末と前記無線ルータとの間の接続チャンネルを構築するステップは、
前記無線ルータの設定を選択したことが検出されると、前記端末と前記無線ルータとの間の接続チャンネルを構築するステップ
を含む。
【００１２】
本発明の実施例に係る第２の態様によると、無線ルータに適用されるルータ設定インターフェイス表示方法を提供する。
【００１３】
前記方法は、
前記無線ルータの初期化状態を特定するステップと、
前記初期化状態に基づいて送信待ちのブロードキャスト情報中の設定パラメータを設定するステップと、
設定パラメータを設定した後の前記ブロードキャスト情報を送信するステップと
を含み、
ここで、前記ブロードキャスト情報は、端末が、前記設定パラメータに基づいて前記無線ルータが初期化されていないことが検出されると、前記端末と前記無線ルータとの間の接続チャンネルを構築し、また、前記接続チャンネルを介して前記無線ルータの設定インターフェイスを取得して表示するように、指示するための情報である。
【００１４】
オプションとして、前記ブロードキャスト情報中には、ルーティング管理フレームが含まれており、
前記初期化状態に基づいて送信待ちのブロードキャスト情報中の設定パラメータを設定するステップは、
前記無線ルータの初期化状態が初期化されていない状態であると、前記ルーティング管理フレーム中のＷＳＣＳのプロパティ値を０ｘ０１に設定するステップと、
前記無線ルータの初期化状態が既に初期化されている状態であると、前記ルーティング管理フレーム中のＷＳＣＳのプロパティ値を０ｘ０２に設定するステップと
を含む。
【００１５】
本発明の実施例に係る第３の態様によると、端末に適用されるルータ設定インターフェイス表示装置を提供する。
【００１６】
前記装置は、
無線ルータが送信したブロードキャスト情報を受信するためのブロードキャスト受信モジュールと、
前記ブロードキャスト情報中に含まれた設定パラメータを取得するためのパラメータ取得モジュールと、
前記設定パラメータに基づいて前記無線ルータが初期化されているか否かを検出するための検出モジュールと、
前記検出モジュールの検出結果が、前記無線ルータが初期化されていない状態の場合に、前記端末と前記無線ルータとの間の接続チャンネルを構築するための接続構築モジュールと、
前記接続チャンネルを介して前記無線ルータの設定インターフェイスを取得するためのインターフェイス取得モジュールと、
前記インターフェイス取得モジュールが取得した前記設定インターフェイスを表示するためのインターフェイス表示モジュールと
を備える。
【００１７】
オプションとして、前記ブロードキャスト情報中には、ルーティング管理フレームが含まれており、
前記パラメータ取得モジュールは、前記ルーティング管理フレームのＷＳＣ中のＷＳＣＳを取得する。
【００１８】
オプションとして、前記検出モジュールは、
前記ＷＳＣＳのプロパティ値を認識するための認識サブモジュールと、
前記ＷＳＣＳのプロパティ値が０ｘ０１であると、前記無線ルータが初期化されていないと特定するための第１特定サブモジュールと、
前記ＷＳＣＳのプロパティ値が０ｘ０２であると、前記無線ルータが既に初期化されていると特定するための第２特定サブモジュールと
を備える。
【００１９】
オプションとして、前記装置は、
前記接続構築モジュールが前記端末と前記無線ルータとの間の接続を構築する前に、前記無線ルータの設定を選択するか否かをプロンプトするためのプロンプト情報を表示するためのプロンプト情報表示モジュール
を、さらに、備える。
【００２０】
オプションとして、前記接続構築モジュールは、前記無線ルータの設定を選択したことが検出されると、前記端末と前記無線ルータとの間の接続チャンネルを構築する。
【００２１】
本発明の実施例に係る第４の態様によると、無線ルータに適用されるルータ設定インターフェイス表示装置を提供する。
【００２２】
前記装置は、
前記無線ルータの初期化状態を特定するための状態特定モジュールと、
前記初期化状態に基づいて送信待ちのブロードキャスト情報中の設定パラメータを設定するためのパラメータ設定モジュールと、
設定パラメータを設定した後の前記ブロードキャスト情報を送信するための情報送信モジュールと
を備え、
ここで、前記ブロードキャスト情報は、端末が、前記設定パラメータに基づいて前記無線ルータが初期化されていないことが検出されると、前記端末と前記無線ルータとの間の接続チャンネルを構築し、また、前記接続チャンネルを介して前記無線ルータの設定インターフェイスを取得して表示するように、指示するための情報である。
【００２３】
オプションとして、前記ブロードキャスト情報中には、ルーティング管理フレームが含まれており、
前記パラメータ設定モジュールは、
前記無線ルータの初期化状態が初期化されていない状態であると、ルーティング管理フレーム中のＷＳＣＳを０ｘ０１に設定するための第１設定サブモジュールと、
前記無線ルータの初期化状態が既に初期化されている状態であると、前記ルーティング管理フレーム中のＷＳＣＳのプロパティ値を０ｘ０２に設定するための第２設定サブモジュールと
を備える。
【００２４】
本発明の実施例に係る第５の態様によると、端末に適用されるルータ設定インターフェイス表示装置を提供する。
【００２５】
前記装置は、
プロセッサと、
前記プロセッサが実行可能な命令を記憶するためのメモリと
を備え、
前記プロセッサは、
無線ルータが送信したブロードキャスト情報を受信して、前記ブロードキャスト情報中に含まれた設定パラメータを取得し、
前記設定パラメータに基づいて前記無線ルータが初期化されているか否かを検出し、
検出結果が前記無線ルータが初期化されていない状態の場合に、前記端末と前記無線ルータとの間の接続を構築し、
前記接続を介して前記無線ルータの設定インターフェイスを取得して表示するように構成される。
【００２６】
本発明の実施例に係る第６の態様によると、無線ルータに適用されるルータ設定インターフェイス表示装置を提供する。
【００２７】
前記装置は、
プロセッサと、
前記プロセッサが実行可能な命令を記憶するためのメモリと
を備え、
前記プロセッサは、
前記無線ルータの初期化状態を特定し、
前記初期化状態に基づいて送信待ちのブロードキャスト情報中の設定パラメータを設定し、
設定パラメータを設定した後の前記ブロードキャスト情報を送信するように構成され、
ここで、前記ブロードキャスト情報は、端末が、前記設定パラメータに基づいて前記無線ルータが初期化されていないことが検出されると、前記端末と前記無線ルータとの間の接続を構築し、また、前記接続を介して前記無線ルータの設定インターフェイスを取得して表示するように指示するための情報である。
【００２８】
本発明の実施例が提供する構成の有益な効果は以下のとおりである。
【００２９】
無線ルータが送信したブロードキャスト情報中の設定パラメータに基づいて、当該無線ルータが初期化されているか否かを検出し、当該無線ルータが初期化されていないと、当該無線ルータとの間の接続チャンネルを自動的に構築し、また、当該無線ルータから設定情報を取得して表示することにより、関連技術での、ユーザが接続を構築する処理を実行し、また、管理画面アドレスを手動的に入力する操作を実行しなければならなく、操作過程が複雑になってしまう問題を解決して、ユーザの操作を簡素化して、ユーザエクスペリエンスを改善する効果を得た。
【００３０】
以上の統括した記述と以下の細部記述は、ただ例示的なものであり、本発明を制限するものではないと、理解するべきである。
【図面の簡単な説明】
【００３１】
ここでの図面は、明細書に合併されて本明細書の一部を構成して本発明に合致する実施例を示し、明細書とともに本発明の原理を説明するために用いられる。
【図１】例示的な一部の実施例に係るルータ設定インターフェイス表示方法の実施環境を示す模式図である。
【図２】例示的な一実施例に係るルータ設定インターフェイス表示方法を示すフローチャートである。
【図３】例示的なもう一実施例に係るルータ設定インターフェイス表示方法を示すフローチャートである。
【図４】例示的なさらにもう一実施例に係るルータ設定インターフェイス表示方法を示すフローチャートである。
【図５】例示的な一実施例に係るルータ設定インターフェイス表示方法を示すフローチャートである。
【図６】例示的なもう一実施例に係るルータ設定インターフェイス表示方法を示すフローチャートである。
【図７】例示的な一実施例に係るルータ設定インターフェイス表示方法を示すフローチャートである。
【図８】例示的な一実施例に係るルータ設定インターフェイス表示装置を示すブロック図である。
【図９】例示的なもう一実施例に係るルータ設定インターフェイス表示装置を示すブロック図である。
【図１０】例示的な一実施例に係るルータ設定インターフェイス表示装置を示すブロック図である。
【図１１】例示的なもう一実施例に係るルータ設定インターフェイス表示装置を示すブロック図である。
【図１２】例示的な一実施例に係るルータ設定インターフェイス表示装置を示すブロック図である。
【図１３】例示的な一実施例に係るルータ設定インターフェイス表示装置を示すブロック図である。
【発明を実施するための形態】
【００３２】
ここで、例示的な実施例を詳細に説明する。また、説明中の例は、図面に示している。以下の記述において、図面を説明する際に特に説明しない場合、異なる図面中の同一の符号は、同一或は同様な要素を意味する。以下の例示的な実施例において記述する実施方法は、本発明に合致するすべての実施方法を代表しない。逆に、それらは、添付の特許請求の範囲において詳細に記述された、本発明のいくつかの態様と合致する装置、及び方法の例に過ぎない。
【００３３】
図１は、本発明の各実施例によって提供するルータ設定インターフェイス表示方法の実施環境の模式図である。当該実施環境は、端末１２０、及び無線ルータ１４０を含む。
【００３４】
端末１２０は、スマートフォン、タブレットＰＣ、電子ブックリーダー、或いは、ノートパソコン等のような、無線ネットワーク接続機能を有するスマート端末であってもよい。無線ルータ１４０は、インターネット１６０に接続できる。端末１２０と無線ルータ１４０との間は、例えばＷｉ−Ｆｉ（Ｗｉｒｅｌｅｓｓ Ｆｉｄｅｌｉｔｙ、ワイヤレス・フィディリティー）のような、短距離無線接続が構築されてもよい。
【００３５】
図２は、例示的な一実施例に係るルータ設定インターフェイス表示方法を示すフローチャートである。当該ルータ設定インターフェイス表示方法は、図１に示した実施環境中の端末１２０に適用される。図２に示したように、当該ルータ設定インターフェイス表示方法は、以下のステップを含んでもよい。
【００３６】
ステップ２０２において、無線ルータが送信したブロードキャスト情報を受信して、当該ブロードキャスト情報中に含まれた設定パラメータを取得する。
【００３７】
ステップ２０４において、当該設定パラメータに基づいて、当該無線ルータが初期化されているか否かを検出する。
【００３８】
ステップ２０６において、検出結果が、当該無線ルータが初期化されていない状態の場合に、当該端末と当該無線ルータとの間の接続チャンネルを構築する。
【００３９】
ステップ２０８において、当該接続チャンネルを介して、当該無線ルータの設定インターフェイスを取得して表示する。
【００４０】
オプションとして、ブロードキャスト情報は、ルーティング管理フレームをふくみ、当該ブロードキャスト情報中の設定パラメータを取得するステップは、
当該ルーティング管理フレームのワイヤレス・フィディリティー・シンプル設定情報（Ｗｉ−Ｆｉ Ｓｉｍｐｌｅ Ｃｏｎｆｉｇｕｒａｔｉｏｎであり、以下、ＷＳＣと略称する）中のワイヤレス・フィディリティー・シンプル設定状態識別子（Ｗｉ−Ｆｉ Ｓｉｍｐｌｅ Ｃｏｎｆｉｇｕｒａｔｉｏｎ Ｓｔａｔｅであり、以下、ＷＳＣＳと略称する）を取得するステップを含む。
【００４１】
オプションとして、当該設定パラメータに基づいて、当該無線ルータが初期化されているか否かを検出するステップは、
当該ＷＳＣＳのプロパティ値を認識するステップと、
当該ＷＳＣＳのプロパティ値が０ｘ０１であると、当該無線ルータが初期化されていないと特定するステップと、
当該ＷＳＣＳのプロパティ値が０ｘ０２であると、当該無線ルータが既に初期化されていると特定するステップと
を含む。
【００４２】
オプションとして、当該端末と当該無線ルータとの間の接続チャンネルを構築する前に、当該無線ルータの設定を選択するか否かをプロンプトするためのプロンプト情報を表示するステップを、さらに、含む。
【００４３】
オプションとして、当該端末と当該無線ルータとの間の接続チャンネルを構築するステップは、
当該無線ルータの設定を選択したことが検出されると、当該端末と当該無線ルータとの間の接続チャンネルを構築するステップを含む。
【００４４】
上記のように、本発明の実施例によって提供するルータ設定インターフェイス表示方法によると、無線ルータが送信したブロードキャスト情報中の設定パラメータに基づいて、当該無線ルータが初期化されているか否かを検出し、当該無線ルータが初期化されていないと、当該無線ルータとの間の接続チャンネルを自動的に構築し、また、当該無線ルータから設定情報を取得して表示することにより、関連技術での、ユーザが接続を構築する処理を実行し、また、管理画面アドレスを手動的に入力する操作を実行しなければならなく、操作過程が複雑になってしまう問題を解決して、ユーザの操作を簡素化して、ユーザエクスペリエンスを改善する効果を得た。
【００４５】
図３は、例示的なもう一実施例に係るルータ設定インターフェイス表示方法を示すフローチャートである。当該ルータ設定インターフェイス表示方法は、図１に示した実施環境中の端末１２０に適用される。図３に示したように、当該ルータ設定インターフェイス表示方法は、以下のステップを含んでもよい。
【００４６】
ステップ３０２において、無線ルータが送信したブロードキャスト情報を受信する。
【００４７】
無線ルータは、起動されて動作する時に、所定の周期に従ってブロードキャスト情報を送信する。当該ブロードキャスト情報には、例えば、当該無線ルータのＳＳＩＤ（Ｓｅｒｖｉｃｅ Ｓｅｔ Ｉｄｅｎｔｉｆｉｅｒ、サービスセット識別子）等のような、当該無線ルータの基本的な情報が含まれている。
【００４８】
ステップ３０４において、当該ブロードキャスト情報のルーティング管理フレーム中から、設定パラメータを取得する。
【００４９】
当該ブロードキャスト情報には、ルーティング管理フレームが含まれている。スマートフォンは、ブロードキャスト情報を受信した後、ブロードキャスト情報のルーティング管理フレーム中から、当該設定パラメータを取得してもよい。
【００５０】
例えば、スマートフォンは、当該ルーティング管理フレームのＷＳＣ中のＷＳＣＳを取得してもよい。
【００５１】
実際の応用において、当該設定パラメータは、ルーティング管理フレーム中に設定されていなく、ブロードキャスト情報中の、ルーティング管理フレーム以外の他の空きデータフレーム中に設定されていてもよい。本発明の実施例において、ブロードキャスト情報中に設定パラメータを付加する方法に対して、限定しない。
【００５２】
ステップ３０６において、当該設定パラメータに基づいて、当該無線ルータが初期化されているか否かを検出する。
【００５３】
当該設定パラメータがＷＳＣＳである例を挙げると、無線ルータは、ブロードキャスト情報を送信する際に、当該無線ルータがまだ初期化設定されていないと、ＷＳＣＳを０ｘ０１に設定し、当該無線ルータが既に初期化設定されていると、ＷＳＣＳを０ｘ０２に設定する。スマートフォンは、当該ブロードキャスト情報を受信した後に、ＷＳＣＳの値を読み取って、当該ＷＳＣＳが０ｘ０１であると、当該ルータがまだ初期化されていないと特定してもよい。
【００５４】
実際の応用において、当該設定パラメータは、ＷＳＣＳに限定されず、無線ルータの初期化状態を示すための他の任意の情報であってもよく、本発明の実施例においては、設定パラメータの表現方法に対して、限定しない。
【００５５】
ステップ３０８において、検出結果が、当該無線ルータが初期化されていない状態の場合に、当該端末と当該無線ルータとの間の接続チャンネルを構築する。
【００５６】
スマートフォンは、当該ブロードキャスト情報中のＷＳＣＳが０ｘ０１であると、当該無線ルータとの間の接続チャンネルを構築してもよい。
【００５７】
例えば、当該スマートフォンは、他の無線接続点にまだ接続されていない場合には、当該無線ルータとの間の接続チャンネルを直接に構築し、また、他の無線接続点に既に接続されている場合には、当該無線ルータに切り替えしてもよい。
【００５８】
ステップ３１０において、当該接続チャンネルを介して、当該無線ルータの設定インターフェイスを取得して表示する。
【００５９】
スマートフォンは、当該無線ルータとの接続チャンネルを構築した後に、当該無線ルータから設定インターフェイスを取得して、当該設定インターフェイスをブラウザ画面中に表示することにより、ユーザが、当該設定インターフェイスにおいて、当該無線ルータに対して、例えば、接続設定パスワード、アクセス方法、暗号化方法、及び接続モード等のような、初期化設定を行うようにする。
【００６０】
上記のように、本発明の実施例によって提供するルータ設定インターフェイス表示方法によると、無線ルータが送信したブロードキャスト情報中の設定パラメータに基づいて、当該無線ルータが初期化されているか否かを検出し、当該無線ルータが初期化されていないと、当該無線ルータとの間の接続チャンネルを自動的に構築し、また、当該無線ルータから設定情報を取得して表示することにより、関連技術での、ユーザが接続を構築する処理を実行し、また、管理画面アドレスを手動的に入力する操作を実行しなければならなく、操作過程が複雑になってしまう問題を解決して、ユーザの操作を簡素化して、ユーザエクスペリエンスを改善する効果を得た。
【００６１】
図４は、例示的なさらにもう一実施例に係るルータ設定インターフェイス表示方法を示すフローチャートである。当該ルータ設定インターフェイス表示方法は、図１に示した実施環境中の端末１２０に適用される。図４に示したように、当該ルータ設定インターフェイス表示方法は、以下のステップを含んでもよい。
【００６２】
ステップ４０２において、無線ルータが送信したブロードキャスト情報を受信する。
【００６３】
無線ルータは、起動されて動作する時に、所定の周期に従ってブロードキャスト情報を送信する。当該ブロードキャスト情報には、例えば、当該無線ルータのＳＳＩＤ（Ｓｅｒｖｉｃｅ Ｓｅｔ Ｉｄｅｎｔｉｆｉｅｒ、サービスセット識別子）等のような、当該無線ルータの基本的な情報が含まれている。
【００６４】
ステップ４０４において、当該ブロードキャスト情報のルーティング管理フレーム中から、設定パラメータを取得する。
【００６５】
当該ブロードキャスト情報には、ルーティング管理フレームが含まれている。スマートフォンは、ブロードキャスト情報を受信した後、ブロードキャスト情報のルーティング管理フレーム中から、当該設定パラメータを取得してもよい。
【００６６】
例えば、スマートフォンは、当該ルーティング管理フレームのＷＳＣ中のＷＳＣＳを取得してもよい。
【００６７】
実際の応用において、当該設定パラメータは、ルーティング管理フレーム中に設定されていなく、ブロードキャスト情報中の、ルーティング管理フレーム以外の他の空きデータフレーム中に設定されていてもよい。本発明の実施例において、ブロードキャスト情報中に設定パラメータを付加する方法に対して、限定しない。
【００６８】
ステップ４０６において、当該設定パラメータに基づいて、当該無線ルータが初期化されているか否かを検出する。
【００６９】
スマートフォンは、当該ＷＳＣＳのプロパティ値を認識してもよい。当該ＷＳＣＳのプロパティ値が０ｘ０１であると、当該無線ルータが初期化されていないと特定し、当該ＷＳＣＳのプロパティ値が０ｘ０２であると、当該無線ルータが既に初期化されていると特定する。
【００７０】
当該設定パラメータがＷＳＣＳである例を挙げると、無線ルータは、ブロードキャスト情報を送信する際に、当該無線ルータがまだ初期化設定されていないと、ＷＳＣＳを０ｘ０１に設定し、当該無線ルータが既に初期化設定されていると、ＷＳＣＳを０ｘ０２に設定する。スマートフォンは、当該ブロードキャスト情報を受信した後に、ＷＳＣＳの値を読み取って、当該ＷＳＣＳが０ｘ０１であると、当該ルータがまだ初期化されていないと特定してもよい。
【００７１】
実際の応用において、当該設定パラメータは、ＷＳＣＳに限定されず、無線ルータの初期化状態を示すための他の任意の情報であってもよく、本発明の実施例においては、設定パラメータの表現方法に対して、限定しない。
【００７２】
ステップ４０８において、検出結果が、当該無線ルータが初期化されていない状態の場合に、当該無線ルータの設定を選択するか否かをプロンプトするためのプロンプト情報を表示する。
【００７３】
スマートフォンは、当該ブロードキャスト情報中のＷＳＣＳが０ｘ０１であると、プロンプト・ボックスを表示する。当該プロンプト・ボックスは、ユーザに、当該無線ルータの初期化設定を選択するか否かを、プロンプトするためのものである。
【００７４】
また、スマートフォンは、初期化されていない無線ルータを二つ或いは二つ以上をスキャンして検出した場合、二つ或いは二つ以上の、初期化されてない無線ルータの識別子（例えば、各無線ルータのＳＳＩＤ）を、リストの形でユーザに表示させて、ユーザが、リスト中から一つの設定を選択してもよい。
【００７５】
ステップ４１０において、当該無線ルータの設定を選択したことが検出されると、当該無線ルータとの間の接続チャンネルを構築する。
【００７６】
スマートフォンは、ユーザが当該無線ルータの設定を選択すると、当該無線ルータとの間の接続チャンネルを構築してもよい。
【００７７】
例えば、当該スマートフォンは、他の無線接続点にまだ接続されていない場合には、当該無線ルータとの間の接続チャンネルを直接に構築し、また、他の無線接続点に既に接続されている場合には、当該無線ルータに切り替えしてもよい。
【００７８】
ステップ４１２において、当該接続チャンネルを介して、当該無線ルータの設定インターフェイスを取得して表示する。
【００７９】
スマートフォンは、当該無線ルータとの接続チャンネルを構築し、且つ、ユーザにより当該無線ルータの初期化設定を選択した後に、当該無線ルータから設定インターフェイスを取得し、また、当該設定インターフェイスをブラウザ画面に表示することにより、ユーザが、ユーザが、当該設定インターフェイスにおいて、当該無線ルータに対して、例えば、接続設定パスワード、アクセス方法、暗号化方法、及び接続モード等のような、初期化設定を行うようにする。
【００８０】
オプションとして、無線ルータが送信したブロードキャスト情報中には、当該無線ルータの管理画面アドレス（ａｄｍｉｎ ｂａｃｋｓｔａｇｅ ａｄｄｒｅｓｓ）が、さらに、含まれている。スマートフォンは、当該ブロードキャスト情報中から、当該管理画面アドレスを抽出して、当該管理画面アドレスに基づいて、当該無線ルータから設定インターフェイスを取得して表示する。
【００８１】
各モデルの無線ルータの管理画面アドレスは、同一ではない。本発明の実施例において、無線ルータは、自身の管理画面アドレスをブロードキャスト情報中に付加する。スマートフォンは、当該ブロードキャスト情報を受信し、また、当該無線ルータがまだ初期化設定されていないことが検出されると、ブロードキャスト情報中に付加された管理画面アドレスに基づいて、当該無線ルータの設定インターフェイスを取得する。
【００８２】
当該ブロードキャスト情報中には、当該無線ルータのモデル情報が付加されていてもよい。スマートフォンは、当該無線ルータのモデル情報に基づいて、当該無線ルータの管理画面アドレスを特定して、さらに、特定された管理画面アドレスに基づいて設定インターフェイスを取得してもよい。或いは、無線ルータの管理画面アドレスの種類がより少なく、例えば、現在、一般的に適用される管理画面アドレスは、「１９２.１６８.１.１」と「１９２.１６８.０.１」との二種がある。スマートフォンは、以上の二つの管理画面アドレスを次第に試して、当該設定インターフェイスを取得してもよい。
【００８３】
上記のように、本発明の実施例によって提供するルータ設定インターフェイス表示方法によると、無線ルータが送信したブロードキャスト情報中の設定パラメータに基づいて、当該無線ルータが初期化されているか否かを検出し、当該無線ルータが初期化されていないと、当該無線ルータとの間の接続チャンネルを自動的に構築し、また、当該無線ルータから設定情報を取得して表示することにより、関連技術での、ユーザが接続を構築する処理を実行し、また、管理画面アドレスを手動的に入力する操作を実行しなければならなく、操作過程が複雑になってしまう問題を解決して、ユーザの操作を簡素化して、ユーザエクスペリエンスを改善する効果を得た。
【００８４】
図５は、例示的な一実施例に係るルータ設定インターフェイス表示方法を示すフローチャートである。当該ルータ設定インターフェイス表示方法は、図１に示した実施環境の無線ルータ１４０に適用される。図５に示したように、当該ルータ設定インターフェイス表示方法は、以下のステップを含んでもよい。
【００８５】
ステップ５０２において、当該無線ルータの初期化状態を特定する。
【００８６】
ステップ５０４において、当該初期化状態に基づいて、送信待ちのブロードキャスト情報中の設定パラメータを設定する。
【００８７】
ステップ５０６において、当該設定パラメータを設定した後の当該ブロードキャスト情報を送信し、ここで、当該ブロードキャストは、端末が、当該設定パラメータに基づいて、当該無線ルータが初期化されていないことが検出されると、当該端末と当該無線ルータとの間の接続チャンネルを構築し、また、当該接続チャンネルを介して、当該無線ルータの設定インターフェイスを取得して表示するように、指示するための情報である。
【００８８】
上記のように、本発明の実施例によって提供する無線ルータ設定インターフェイス表示方法によると、無線ルータの初期化状態に基づいて、無線ルータのブロードキャスト情報中に設定パラメータを設定することにより、端末が、当該設定パラメータに基づいて、当該無線ルータが初期化されていないことが検出されると、当該端末と当該無線ルータとの間の接続チャンネルを構築し、また、当該接続を介して当該無線ルータの設定インターフェイスを取得して表示するようにする。このようにして、関連技術での、ユーザが接続を構築する処理を実行し、また、管理画面アドレスを手動的に入力する操作を実行しなければならなく、操作過程が複雑になってしまう問題を解決して、ユーザの操作を簡素化して、ユーザエクスペリエンスを改善する効果を得た。
【００８９】
図６は、例示的なもう一実施例に係るルータ設定インターフェイス表示方法を示すフローチャートである。当該ルータ設定インターフェイス表示方法は、図１に示した実施環境の無線ルータ１４０に適用される。図６に示したように、当該ルータ設定インターフェイス表示方法は、以下のステップを含んでもよい。
【００９０】
ステップ６０２において、無線ルータの初期化状態を特定して、当該初期化状態に基づいて、送信待ちのブロードキャスト情報中の設定パラメータを設定する。
【００９１】
当該ブロードキャスト情報には、ルーティング管理フレームが含まれている。無線ルータは、当該ルーティング管理フレーム中に設定パラメータを設定してもよい。実際の応用において、当該設定パラメータは、ルーティング管理フレーム中に設定されていなく、ブロードキャスト情報中の、ルーティング管理フレーム以外の他の空きデータフレーム中に設定されていてもよい。本発明の実施例において、ブロードキャスト情報中に設定パラメータを付加する方法に対して、限定しない。
【００９２】
設定パラメータを設定する時に、当該無線ルータの初期化状態が初期化されていない状態であると、当該ルーティング管理フレーム中のＷＳＣＳを０ｘ０１に設定し、当該無線ルータの初期化状態が既に初期化されている状態であると、当該ルーティング管理フレーム中のＷＳＣＳのプロパティ値を０ｘ０２に設定する。
【００９３】
当該設定パラメータがＷＳＣＳである例を挙げると、無線ルータは、ブロードキャスト情報を送信する際に、当該無線ルータがまだ初期化設定されていないと、ＷＳＣＳを０ｘ０１に設定し、当該無線ルータが既に初期化設定されていると、ＷＳＣＳを０ｘ０２に設定する。
【００９４】
実際の応用において、当該設定パラメータは、ＷＳＣＳに限定されず、無線ルータの初期化状態を示すための他の任意の情報であってもよく、本発明の実施例においては、設定パラメータの表現方法に対して、限定しない。
【００９５】
ステップ６０４において、当該設定パラメータを設定した後の当該ブロードキャスト情報を送信し、ここで、当該ブロードキャスト情報は、端末が、当該設定パラメータに基づいて、当該無線ルータが初期化されていないことが検出されると、当該端末と当該無線ルータとの間の接続チャンネルを構築し、また、当該接続チャンネルを介して、当該無線ルータの設定インターフェイスを取得して表示するように、指示するための情報である。
【００９６】
スマートフォンは、当該ブロードキャスト情報が受信した後に、ＷＳＣＳの値を読み取って、当該ＷＳＣＳが０ｘ０１であると、当該ルータがまだ初期化されていないと特定してもよい。
【００９７】
オプションとして、無線ルータは、ブロードキャスト情報中に当該無線ルータの管理画面アドレスを付加してもよく、スマートフォンは、当該ブロードキャスト情報中から当該管理画面アドレスを抽出して、当該管理画面アドレスに基づいて当該無線ルータから設定インターフェイスを取得して表示してもよい。
【００９８】
各モデルの無線ルータの管理画面アドレスは、同一ではない。本発明の実施例において、無線ルータは、自身の管理画面アドレスをブロードキャスト情報中に付加する。スマートフォンは、当該ブロードキャスト情報を受信し、また、当該無線ルータがまだ初期化設定されていないことが検出されると、ブロードキャスト情報中に付加された管理画面アドレスに基づいて、当該無線ルータの設定インターフェイスを取得する。
【００９９】
或いは、無線ルータは、ブロードキャスト情報中に当該無線ルータのモデル情報を付加してもよく、スマートフォンは、当該無線ルータのモデル情報に基づいて当該無線ルータの管理画面アドレスを特定して、さらに、特定された管理画面アドレスに基づいて設定インターフェイスを取得してもよい。
【０１００】
上記のように、本発明の実施例によって提供するルータ設定インターフェイス表示方法によると、無線ルータの初期化状態に基づいて、無線ルータのブロードキャスト情報中に設定パラメータを設定することにより、端末が、当該設定パラメータに基づいて、当該無線ルータが初期化されていないことが検出されると、当該端末と当該無線ルータとの間の接続チャンネルを構築し、また、当該接続を介して当該無線ルータの設定インターフェイスを取得して表示するようにする。このようにして、関連技術での、ユーザが接続を構築する処理を実行し、また、管理画面アドレスを手動的に入力する操作を実行しなければならなく、操作過程が複雑になってしまう問題を解決して、ユーザの操作を簡素化して、ユーザエクスペリエンスを改善する効果を得た。
【０１０１】
図７は、例示的な一実施例に係るルータ設定インターフェイス表示方法を示すフローチャートである。当該ルータ設定インターフェイス表示方法は、図１に示した実施環境中に適用される。図７に示したように、当該ルータ設定インターフェイス表示方法は、以下のステップを含んでもよい。
【０１０２】
ステップ７０２において、無線ルータは、初期化状態に基づいて、送信待ちのブロードキャスト情報中の設定パラメータを設定する。
【０１０３】
無線ルータは、起動されて動作する時に、所定の周期に従ってブロードキャスト情報を送信する。当該ブロードキャスト情報には、例えば、当該無線ルータのＳＳＩＤ（Ｓｅｒｖｉｃｅ Ｓｅｔ Ｉｄｅｎｔｉｆｉｅｒ、サービスセット識別子）等のような、当該無線ルータの基本的な情報が含まれている。
【０１０４】
当該ブロードキャスト情報には、ルーティング管理フレームが含まれている。本発明の実施例において、無線ルータは、当該ルーティング管理フレーム中に、設定パラメータを設定する。実際の応用において、当該設定パラメータは、ルーティング管理フレーム中に設定されていなく、ブロードキャスト情報中の、ルーティング管理フレーム以外の他の空きデータフレーム中に設定されていてもよい。本発明の実施例において、ブロードキャスト情報中に設定パラメータを付加する方法に対して、限定しない。
【０１０５】
設定パラメータを設定する時に、当該無線ルータの初期化状態が初期化されていない状態であると、当該ルーティング管理フレーム中のＷＳＣＳを０ｘ０１に設定し、当該無線ルータの初期化状態が既に初期化されている状態であると、当該ルーティング管理フレーム中のＷＳＣＳのプロパティ値を０ｘ０２に設定する。
【０１０６】
実際の応用において、当該設定パラメータは、ＷＳＣＳに限定されず、無線ルータの初期化状態を示すための他の任意の情報であってもよく、本発明の実施例においては、設定パラメータの表現方法に対して、限定しない。
【０１０７】
ステップ７０４において、無線ルータは、当該設定パラメータを設定した後の当該ブロードキャスト情報を送信する。
【０１０８】
ステップ７０６において、端末は、当該ブロードキャスト情報を受信して、当該設定パラメータを取得し、また、当該設定パラメータに基づいて、当該無線ルータが初期化されているか否かを検出する。
【０１０９】
当該設定パラメータがＷＳＣＳである例を挙げると、スマートフォンは、当該ブロードキャスト情報を受信した後に、ＷＳＣＳの値を読み取って、当該ＷＳＣＳが０ｘ０１であると、当該無線ルータがまだ初期化されていないと特定してもよい。
【０１１０】
ステップ７０８において、端末は、検出結果が、当該無線ルータが初期化されていない状態の場合に、当該無線ルータの設定を選択するか否かをプロンプトするためのプロンプト情報を表示する。
【０１１１】
スマートフォンは、当該ブロードキャスト情報中のＷＳＣＳが０ｘ０１であると、プロンプト・ボックスを表示する。当該プロンプト・ボックスは、ユーザに、当該無線ルータの初期化設定を選択するか否かを、プロンプトするためのものである。
【０１１２】
また、スマートフォンは、初期化されていない無線ルータを二つ或いは二つ以上をスキャンして検出した場合、二つ或いは二つ以上の、初期化されてない無線ルータの識別子（例えば、各無線ルータのＳＳＩＤ）を、リストの形でユーザに表示させて、ユーザが、リスト中から一つの設定を選択してもよい。
【０１１３】
ステップ７１０において、端末は、当該無線ルータの設定を選択したことが検出されると、当該無線ルータとの間の接続チャンネルを構築する。
【０１１４】
スマートフォンは、ユーザにより当該無線ルータの設定を選択した場合、当該無線ルータとの間の接続チャンネルを構築してもよい。例えば、当該スマートフォンは、他の無線接続点にまだ接続されていない場合には、当該無線ルータとの間の接続チャンネルを直接に構築し、また、他の無線接続点に既に接続されている場合には、当該無線ルータに切り替えしてもよい。
【０１１５】
ステップ７１２において、端末は、当該接続チャンネルを介して、当該無線ルータの設定インターフェイスを取得して表示する。
【０１１６】
スマートフォンは、当該無線ルータとの接続チャンネルを構築し、且つ、ユーザにより当該無線ルータの初期化設定を選択した後に、当該無線ルータから設定インターフェイスを取得し、また、当該設定インターフェイスをブラウザ画面に表示することにより、ユーザが、ユーザが、当該設定インターフェイスにおいて、当該無線ルータに対して、例えば、接続設定パスワード、アクセス方法、暗号化方法、及び接続モード等のような、初期化設定を行うようにする。
【０１１７】
オプションとして、無線ルータが送信したブロードキャスト情報中には、当該無線ルータの管理画面アドレスが、さらに、含まれている。スマートフォンは、当該ブロードキャスト情報中から、当該管理画面アドレスを抽出して、当該管理画面アドレスに基づいて、当該無線ルータから設定インターフェイスを取得して表示する。
【０１１８】
各モデルの無線ルータの管理画面アドレスは、同一ではない。本発明の実施例において、無線ルータは、自身の管理画面アドレスをブロードキャスト情報中に付加する。スマートフォンは、当該ブロードキャスト情報を受信し、また、当該無線ルータがまだ初期化設定されていないことが検出されると、ブロードキャスト情報中に付加された管理画面アドレスに基づいて、当該無線ルータの設定インターフェイスを取得する。
【０１１９】
当該ブロードキャスト情報中には、当該無線ルータのモデル情報が付加されていてもよい。スマートフォンは、当該無線ルータのモデル情報に基づいて、当該無線ルータの管理画面アドレスを特定して、さらに、特定された管理画面アドレスに基づいて設定インターフェイスを取得してもよい。或いは、無線ルータの管理画面アドレスの種類がより少なく、例えば、現在、一般的に適用される管理画面アドレスは、「１９２.１６８.１.１」と「１９２.１６８.０.１」との二種がある。スマートフォンは、以上の二つの管理画面アドレスを次第に試して、当該設定インターフェイスを取得してもよい。
【０１２０】
上記のように、本発明の実施例によって提供するルータ設定インターフェイス表示方法によると、端末無線ルータが送信したブロードキャスト情報中の設定パラメータに基づいて、当該無線ルータが初期化されているか否かを検出し、当該無線ルータが初期化されていないと、当該無線ルータとの間の接続チャンネルを自動的に構築し、また、当該無線ルータから設定情報を取得して表示することにより、関連技術での、ユーザが接続を構築する処理を実行し、また、管理画面アドレスを手動的に入力する操作を実行しなければならなく、操作過程が複雑になってしまう問題を解決して、ユーザの操作を簡素化して、ユーザエクスペリエンスを改善する効果を得た。
【０１２１】
以下は、本発明の装置の実施例であり、本発明の方法の実施例を実行することができる。本発明の装置の実施例において記述していない細部内容に対しては、本発明の方法の実施例を参照してください。
【０１２２】
図８は、例示的な一実施例に係るルータ設定インターフェイス表示装置を示すブロック図である。当該ルータ設定インターフェイス表示装置は、図１に示した実施環境中の端末１２０に適用される。図８に示したように、当該ルータ設定インターフェイス表示装置は、ブロードキャスト受信モジュール８０１、パラメータ取得モジュール８０２、検出モジュール８０３、接続構築モジュール８０４、インターフェイス取得モジュール８０５、及びインターフェイス表示モジュール８０６を含むが、これに限定されない。
【０１２３】
前記ブロードキャスト受信モジュール８０１は、無線ルータが送信したブロードキャスト情報を受信する。
【０１２４】
前記パラメータ取得モジュール８０２は、前記ブロードキャスト情報中に含まれた設定パラメータを取得する。
【０１２５】
前記検出モジュール８０３は、前記設定パラメータに基づいて前記無線ルータが初期化されているか否かを検出する。
【０１２６】
前記接続構築モジュール８０４は、前記検出モジュール８０３の検出結果が、前記無線ルータが初期化されていない状態の場合に、前記端末と前記無線ルータとの間の接続チャンネルを構築する。
【０１２７】
前記インターフェイス取得モジュール８０５は、前記接続チャンネルを介して前記無線ルータの設定インターフェイスを取得する。
【０１２８】
前記インターフェイス表示モジュール８０６は、前記インターフェイス取得モジュール８０５が取得した前記設定インターフェイスを表示する。
【０１２９】
上記のように、本発明の実施例によって提供するルータ設定インターフェイス表示装置によると、端末無線ルータが送信したブロードキャスト情報中の設定パラメータに基づいて、当該無線ルータが初期化されているか否かを検出し、当該無線ルータが初期化されていないと、当該無線ルータとの間の接続チャンネルを自動的に構築し、また、当該無線ルータから設定情報を取得して表示することにより、関連技術での、ユーザが接続を構築する処理を実行し、また、管理画面アドレスを手動的に入力する操作を実行しなければならなく、操作過程が複雑になってしまう問題を解決して、ユーザの操作を簡素化して、ユーザエクスペリエンスを改善する効果を得た。
【０１３０】
図９は、例示的なもう一実施例に係るルータ設定インターフェイス表示装置を示すブロック図である。当該ルータ設定インターフェイス表示装置は、図１に示した実施環境中の端末１２０に適用される。図９に示したように、当該ルータ設定インターフェイス表示装置は、ブロードキャスト受信モジュール８０１、パラメータ取得モジュール８０２、検出モジュール８０３、接続構築モジュール８０４、インターフェイス取得モジュール８０５、及びインターフェイス表示モジュール８０６を含むが、これに限定されない。
【０１３１】
前記ブロードキャスト受信モジュール８０１は、無線ルータが送信したブロードキャスト情報を受信する。
【０１３２】
前記パラメータ取得モジュール８０２は、前記ブロードキャスト情報中に含まれた設定パラメータを取得する。
【０１３３】
前記検出モジュール８０３は、前記設定パラメータに基づいて前記無線ルータが初期化されているか否かを検出する。
【０１３４】
前記接続構築モジュール８０４は、前記検出モジュール８０３の検出結果が、前記無線ルータが初期化されていない状態の場合に、前記端末と前記無線ルータとの間の接続チャンネルを構築する。
【０１３５】
前記インターフェイス取得モジュール８０５は、前記接続チャンネルを介して前記無線ルータの設定インターフェイスを取得する。
【０１３６】
前記インターフェイス表示モジュール８０６は、前記インターフェイス取得モジュール８０５が取得した前記設定インターフェイスを表示する。
【０１３７】
オプションとして、前記パラメータ取得モジュール８０２は、前記ルーティング管理フレームのＷＳＣ中のＷＳＣＳを取得し、前記ブロードキャスト情報中には、ルーティング管理フレームが含まれている。
【０１３８】
オプションとして、前記検出モジュール８０３は、認識サブモジュール８０３ａ、第１特定サブモジュール８０３ｂ、及び第２特定サブモジュール８０３ｃを含む。
【０１３９】
前記認識サブモジュール８０３ａは、前記ＷＳＣＳのプロパティ値を認識する。
【０１４０】
前記第１特定サブモジュール８０３ｂは、前記ＷＳＣＳのプロパティ値が０ｘ０１であると、前記無線ルータが初期化されていないと特定する。
【０１４１】
前記第２特定サブモジュール８０３ｃは、前記ＷＳＣＳのプロパティ値が０ｘ０２であると、前記無線ルータが既に初期化されていると特定する。
【０１４２】
オプションとして、前記装置は、プロンプト情報表示モジュール８０７をさらに含む。
【０１４３】
前記プロンプト情報表示モジュール８０７は、前記接続構築モジュール８０４が前記端末と前記無線ルータとの間の接続チャンネルを構築する前に、前記無線ルータの設定を選択するか否かをプロンプトするためのプロンプト情報を表示する。
【０１４４】
オプションとして、前記接続構築モジュール８０４は、前記無線ルータの設定を選択したことが検出されると、前記端末と前記無線ルータとの間の接続チャンネルを構築する。
【０１４５】
オプションとして、前記装置は、アドレス取得モジュール８０８をさらに含む。
【０１４６】
前記アドレス取得モジュール８０８は、前記ブロードキャスト情報中に含まれた管理画面アドレスを取得する。
【０１４７】
前記インターフェイス取得モジュール８０５は、前記管理画面アドレスに基づいて、前記無線ルータの設定インターフェイスを取得する。
【０１４８】
上記のように、本発明の実施例によって提供するルータ設定インターフェイス表示装置によると、端末無線ルータが送信したブロードキャスト情報中の設定パラメータに基づいて、当該無線ルータが初期化されているか否かを検出し、当該無線ルータが初期化されていないと、当該無線ルータとの間の接続チャンネルを自動的に構築し、また、当該無線ルータから設定情報を取得して表示することにより、関連技術での、ユーザが接続を構築する処理を実行し、また、管理画面アドレスを手動的に入力する操作を実行しなければならなく、操作過程が複雑になってしまう問題を解決して、ユーザの操作を簡素化して、ユーザエクスペリエンスを改善する効果を得た。
【０１４９】
図１０は、例示的な一実施例に係るルータ設定インターフェイス表示装置を示すブロック図である。当該ルータ設定インターフェイス表示装置は、図１に示した実施環境の無線ルータ１４０に適用される。図１０に示したように、当該ルータ設定インターフェイス表示装置は、状態特定モジュール１００１、パラメータ設定モジュール１００２、及び情報送信モジュール１００３を含むが、これに限定されない。
【０１５０】
状態特定モジュール１００１は、前記無線ルータの初期化状態を特定する。
【０１５１】
パラメータ設定モジュール１００２は、前記初期化状態に基づいて送信待ちのブロードキャスト情報中の設定パラメータを設定する。
【０１５２】
情報送信モジュール１００３は、設定パラメータを設定した後の前記ブロードキャスト情報を送信し、ここで、前記ブロードキャスト情報は、端末が、前記設定パラメータに基づいて前記無線ルータが初期化されていないことが検出されると、前記端末と前記無線ルータとの間の接続チャンネルを構築し、また、前記接続チャンネルを介して前記無線ルータの設定インターフェイスを取得して表示するように、指示するための情報である。
【０１５３】
上記のように、本発明の実施例によって提供するルータ設定インターフェイス表示装置によると、無線ルータの初期化状態に基づいて、無線ルータのブロードキャスト情報中に設定パラメータを設定することにより、端末が、当該設定パラメータに基づいて、当該無線ルータが初期化されていないことが検出されると、当該端末と当該無線ルータとの間の接続チャンネルを構築し、また、当該接続チャンネルを介して、当該無線ルータの設定インターフェイスを取得して表示するようにする。このようにして、関連技術での、ユーザが接続を構築する処理を実行し、また、管理画面アドレスを手動的に入力する操作を実行しなければならなく、操作過程が複雑になってしまう問題を解決して、ユーザの操作を簡素化して、ユーザエクスペリエンスを改善する効果を得た。
【０１５４】
図１１は、例示的な一実施例に係るルータ設定インターフェイス表示装置を示すブロック図である。当該ルータ設定インターフェイス表示装置は、図１に示した実施環境の無線ルータ１４０に適用される。図１１に示したように、当該ルータ設定インターフェイス表示装置は、状態特定モジュール１００１、パラメータ設定モジュール１００２、及び情報送信モジュール１００３を含むが、これに限定されない。
【０１５５】
状態特定モジュール１００１は、前記無線ルータの初期化状態を特定する。
【０１５６】
パラメータ設定モジュール１００２は、前記初期化状態に基づいて送信待ちのブロードキャスト情報中の設定パラメータを設定する。
【０１５７】
情報送信モジュール１００３は、設定パラメータを設定した後の前記ブロードキャスト情報を送信し、ここで、前記ブロードキャスト情報は、端末が、前記設定パラメータに基づいて前記無線ルータが初期化されていないことが検出されると、前記端末と前記無線ルータとの間の接続チャンネルを構築し、また、前記接続チャンネルを介して前記無線ルータの設定インターフェイスを取得して表示するように、指示するための情報である。
【０１５８】
オプションとして、前記パラメータ設定モジュール１００２は、第１設定サブモジュール１００２ａ、及び第２設定サブモジュール１００２ｂを含む。
【０１５９】
前記第１設定サブモジュール１００２ａは、前記無線ルータの初期化状態が初期化されていない状態であると、ルーティング管理フレーム中のＷＳＣＳのプロパティ値を０ｘ０１に設定し、前記ブロードキャスト情報中には、ルーティング管理フレームが含まれている。
【０１６０】
前記第２設定サブモジュール１００２ｂは、前記無線ルータの初期化状態が既に初期化されている状態であると、前記ルーティング管理フレーム中のＷＳＣＳのプロパティ値を０ｘ０２に設定する。
【０１６１】
オプションとして、前記装置は、アドレス付加モジュール１００４をさらに含む。
【０１６２】
前記アドレス付加モジュール１００４は、前記送信待ちのブロードキャスト情報中に、前記無線ルータの管理画面アドレスを付加する。
【０１６３】
上記のように、本発明の実施例によって提供するルータ設定インターフェイス表示装置によると、無線ルータの初期化状態に基づいて、無線ルータのブロードキャスト情報中に設定パラメータを設定することにより、端末が、当該設定パラメータに基づいて、当該無線ルータが初期化されていないことが検出されると、当該端末と当該無線ルータとの間の接続チャンネルを構築し、また、当該接続チャンネルを介して、当該無線ルータの設定インターフェイスを取得して表示するようにする。このようにして、関連技術での、ユーザが接続を構築する処理を実行し、また、管理画面アドレスを手動的に入力する操作を実行しなければならなく、操作過程が複雑になってしまう問題を解決して、ユーザの操作を簡素化して、ユーザエクスペリエンスを改善する効果を得た。
【０１６４】
図１２は、例示的な一実施例に係るルータ設定インターフェイス表示装置１２００を示すブロック図である。例えば、装置１２００は、携帯電話、コンピューター、デジタル放送端末、メッセージ送受信デバイス、ゲームコンソール、タブレットデバイス、医療機器、フィットネス機器、パーソナルデジタルアシスタント等であってもよい。
【０１６５】
図１２を参照して、装置１２００は、プロセスアセンブリ１２０２、メモリ１２０４、電源アセンブリ１２０６、マルチメディアアセンブリ１２０８、オーディオアセンブリ１２１０、入出力（Ｉ／Ｏ）インターフェイス１２１２、センサアセンブリ１２１４、及び通信アセンブリ１２１６のような一つ以上のアセンブリを含んでよい。
【０１６６】
プロセスアセンブリ１２０２は、一般的には装置１２００の全体の動作を制御するものであり、例えば、表示、電話呼び出し、データ通信、カメラ動作、及び記録動作と関連する動作を制御する。プロセスアセンブリ１２０２は、一つ以上のプロセッサ１２１８を含み、これらによって命令を実行することにより、上記の方法の全部、或は一部のステップを実現するようにしてもよい。なお、プロセスアセンブリ１２０２は、一つ以上のモジュールを含み、これらによってプロセスアセンブリ１２０２と他のアセンブリの間のインタラクションを容易にするようにしてもよい。例えば、プロセスアセンブリ１２０２は、マルチメディアモジュールを含み、これらによってマルチメディアアセンブリ１２０８とプロセスアセンブリ１２０２の間のインタラクションを容易にするようにしてもよい。
【０１６７】
メモリ１２０４は、各種類のデータを記憶することにより装置１２００の動作を支援するように構成される。これらのデータの例は、装置１２００において動作するいずれのアプリケーションプログラム又は方法の命令、連絡対象データ、電話帳データ、メッセージ、画像、ビデオ等を含む。メモリ１２０４は、いずれの種類の揮発性メモリ、不揮発性メモリ記憶デバイスまたはそれらの組み合わせによって実現されてもよく、例えば、ＳＲＡＭ（ＳｔａｔｉｃＲａｎｄｏｍＡｃｃｅｓｓＭｅｍｏｒｙ）ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（ Ｐｒｏｇｒａｍｍａｂｌｅ ＲＯＭ）、ＲＯＭ（Ｒｅａｄ Ｏｎｌｙ Ｍｅｍｏｒｙ）、磁気メモリ、フラッシュメモリ、磁気ディスク、或いは光ディスクである。
【０１６８】
電源アセンブリ１２０６は、装置１２００の多様なアセンブリに電力を供給する。電源アセンブリ１２０６は、電源管理システム、一つ以上の電源、及び装置１２００のための電力の生成、管理及び割り当てに関連付けられている他のアセンブリを含んでもよい。
【０１６９】
マルチメディアアセンブリ１２０８は、前記装置１２００とユーザの間に一つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スワイプ、及びタッチパネル上のジェスチャを検出することができる。前記タッチセンサは、タッチ、或はスワイプの動作の境界だけでなく、前記のタッチ、或はスワイプ操作に係る継続時間及び圧力も検出できる。上記の実施例において、マルチメディアアセンブリ１２０８は、一つのフロントカメラ、及び／又はリアカメラを含む。装置１２００が、例えば撮影モード、或はビデオモード等の動作モードにある場合、フロントカメラ、及び／又はリアカメラは外部からマルチメディアデータを受信できる。フロントカメラとリアカメラのそれぞれは、一つの固定型の光レンズ系、或は可変焦点距離と光学ズーム機能を有するものであってもよい。
【０１７０】
オーディオアセンブリ１２１０は、オーディオ信号を入出力するように構成されてもよい。例えば、オーディオアセンブリ１２１０は、一つのマイク（ＭＩＣ）を含み、装置１２００が、例えば呼出しモード、記録モード、及び音声認識モード等の動作モードにある場合、マイクは外部のオーディオ信号を受信することができる。受信されたオーディオ信号は、さらにメモリ１２０４に記憶されたり、通信アセンブリ１２１６を介して送信されたりされる。上記の実施例において、オーディオアセンブリ１２１０は、オーディオ信号を出力するための一つのスピーカーをさらに含む。
【０１７１】
Ｉ／Ｏインターフェイス１２１２は、プロセスアセンブリ１２０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、作動ボタン、ロッキングボタンを含んでもよいが、これらに限定されない。
【０１７２】
センサアセンブリ１２１４は、装置１２００に各種の状態に対する評価を提供するための一つ以上のセンサを含む。例えば、センサアセンブリ１２１４は、装置１２００のＯＮ／ＯＦＦ状態、装置１２００のディスプレイとキーパッドのようなアセンブリの相対的な位置決めを検出できる。また、例えば、センサアセンブリ１２１４は、装置１２００、或は装置１２００の一つのアセンブリの位置変更、ユーザと装置１２００とが接触しているか否か、装置１２００の方位、又は加速／減速、装置１２００の温度の変化を検出できる。センサアセンブリ１２１４は、何れの物理的接触がない状態にて付近の物体の存在を検出するための近接センサを含んでもよい。センサアセンブリ１２１４は、撮影アプリケーションに適用するため、ＣＭＯＳ、又はＣＣＤ画像センサのような光センサを含んでもよい。上記の実施例において、当該センサアセンブリ１２１４は、加速度センサ、ジャイロスコープセンサ、磁気センサ、圧力センサ、及び温度センサをさらに含んでもよい。
【０１７３】
通信アセンブリ１２１６は、装置１２００と他の機器の間に有線、又は利便性のよい形態の通信を提供する。装置１２００は、例えばＷｉＦｉ（登録商標）、２Ｇ、３Ｇ、或はこれらの組み合わせのような、通信規格に基づいた無線ネットワークに接続されてもよい。一つの例示的な実施例において、通信アセンブリ１２１６は、放送チャンネルを介して外部の放送管理システムからの放送信号、又は放送に関連する情報を受信する。一つの例示的な実施例において、前記通信アセンブリ１２１６は、近距離無線通信（ＮＦＣ）モジュールをさらに含むことにより、近距離通信を可能にする。例えば、ＮＦＣモジュールは、ＲＦＩＤ（Ｒａｄｉｏ Ｆｒｅｑｕｅｎｃｙ ＩＤｅｎｔｉｆｉｃａｔｉｏｎ）技術、ＩｒＤＡ（Ｉｎｆｒａｒｅｄ Ｄａｔａ Ａｓｓｏｃｉａｔｉｏｎ）技術、ＵＷＢ（Ｕｌｔｒａ Ｗｉｄｅ Ｂａｎｄ）技術、ＢＴ（Ｂｌｕｅｔｏｏｔｈ（登録商標））技術、他の技術に基づいて実現できる。
【０１７４】
例示的な実施例において、装置１２００は、一つ以上のＡＳＩＣ（ＡｐｐｌｉｃａｔｉｏｎＳｐｅｃｉｆｉｃ Ｉｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ Ｐｒｏｃｅｓｓｉｎｇ Ｄｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記方法を実行する。
【０１７５】
例示的な実施例において、さらに、命令を含むコンピュータ読取り可能な非一時的な記録媒体、例えば命令を含むメモリ１２０４を提供しており、装置１２００のプロセッサ１２１８により上記命令を実行して上記方法を実現する。例えば、前記コンピュータ読取り可能な非一時的な記録媒体は、ＲＯＭ、ＲＡＭ、ＣＤ-ＲＯＭ、磁気テープ、フロッピーディスク、光データ記憶デバイス等である。
【０１７６】
図１３は、例示的な一実施例に係るルータ設定インターフェイス表示装置１３００を示すブロック図である。装置１３００は、例えば、ルータ、或いは、交換機、等であってもよい。
【０１７７】
図１３を参照して、装置１３００は、プロセスアセンブリ１３０２、メモリ１３０４、電源アセンブリ１３０６、及び通信アセンブリ１３１６のような一つ以上のアセンブリを含んでよい。
【０１７８】
プロセスアセンブリ１３０２は、一般的には装置１３００の全体の動作を制御するものであり、例えば、アドレスの分析、データの送受信、及びデータフロー制御と関連する動作を制御する。プロセスアセンブリ１３０２は、一つ以上のプロセッサ１３１８を含み、これらによって命令を実行することにより、上記の方法の全部、或は一部のステップを実現するようにしてもよい。なお、プロセスアセンブリ１３０２は、一つ以上のモジュールを含み、これらによってプロセスアセンブリ１３０２と他のアセンブリの間のインタラクションを容易にするようにしてもよい。例えば、プロセスアセンブリ１３０２は、マルチメディアモジュールを含み、これらによってマルチメディアアセンブリ１３０８とプロセスアセンブリ１３０２の間のインタラクションを容易にするようにしてもよい。
【０１７９】
メモリ１３０４は、各種類のデータを記憶することにより装置１３００の動作を支援するように構成される。これらのデータの例は、装置１３００において動作するいずれのアプリケーションプログラム又は方法の命令、連絡対象データ、電話帳データ、メッセージ、画像、ビデオ等を含む。メモリ１３０４は、いずれの種類の揮発性メモリ、不揮発性メモリ記憶デバイスまたはそれらの組み合わせによって実現されてもよく、例えば、ＳＲＡＭ（ＳｔａｔｉｃＲａｎｄｏｍＡｃｃｅｓｓＭｅｍｏｒｙ）ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（ Ｐｒｏｇｒａｍｍａｂｌｅ ＲＯＭ）、ＲＯＭ（Ｒｅａｄ ＯｎｌｙＭｅｍｏｒｙ）、磁気メモリ、フラッシュメモリ、磁気ディスク、或いは光ディスクである。
【０１８０】
電源アセンブリ１３０６は、装置１３００の多様なアセンブリに電力を供給する。電源アセンブリ１３０６は、電源管理システム、一つ以上の電源、及び装置１３００のための電力の生成、管理及び割り当てに関連付けられている他のアセンブリを含んでもよい。
【０１８１】
通信アセンブリ１３１６は、装置１３００と他の機器の間に有線、又は、無線の通信を提供する。装置１３００は、例えば、ＷｉＦｉ（登録商標）ネットワークのような、通信規格に基づいた無線ネットワークを構築してもよい。一つの例示的な実施例において、通信アセンブリ１３１６は、ブロードキャスト・チャンネルを介して、外部にブロードキャスト信号、或は、ブロードキャスト関連情報を送信する。
【０１８２】
例示的な実施例において、装置１３００は、一つ以上のＡＳＩＣ（ＡｐｐｌｉｃａｔｉｏｎＳｐｅｃｉｆｉｃ Ｉｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ Ｐｒｏｃｅｓｓｉｎｇ Ｄｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記方法を実行する。
【０１８３】
例示的な実施例において、さらに、命令を含むコンピュータ読取り可能な非一時的な記録媒体、例えば命令を含むメモリ１３０４を提供しており、装置１３００のプロセッサ１３１８により上記命令を実行して上記方法を実現する。例えば、前記コンピュータ読取り可能な非一時的な記録媒体は、ＲＯＭ、ＲＡＭ、ＣＤ-ＲＯＭ、磁気テープ、フロッピーディスク、光データ記憶デバイス等である。
【０１８４】
上記の実施例の装置について、その各モジュールが実行する操作の具体的な形態は既に当該方法に関する実施例において詳細に説明したため、ここでは詳細に説明しない。
【０１８５】
本発明は上記に記述され、また図面で示した厳密な構成に限定されず、その範囲を逸脱しない限り多様な置換えと変更を行うことができると、理解されるべきである。本発明の範囲は添付の特許請求の範囲のみにより限定される。
【０１８６】
本願は、出願番号がＣＮ２０１４１０７１５５２３.４であって、出願日が２０１４年１２月１日である中国特許出願に基づいて優先権を主張し、当該中国特許出願のすべての内容を援用する。
【図１】
2017505087.tif 000003
【図２】
2017505087.tif 000004
【図３】
2017505087.tif 000005
【図４】
2017505087.tif 000006
【図５】
2017505087.tif 000007
【図６】
2017505087.tif 000008
【図７】
2017505087.tif 000009
【図８】
2017505087.tif 000010
【図９】
2017505087.tif 000011
【図１０】
2017505087.tif 000012
【図１１】
2017505087.tif 000013
【図１２】
2017505087.tif 000014
【図１３】
2017505087.tif 000015
【手続補正書】
【提出日】平成27年12月28日(2015.12.28)
【手続補正１】
【補正対象書類名】特許請求の範囲
【補正対象項目名】全文
【補正方法】変更
【補正の内容】
【特許請求の範囲】
【請求項１】
端末に適用されるルータ設定インターフェイス表示方法であって、
無線ルータが送信したブロードキャスト情報を受信して、前記ブロードキャスト情報中に含まれた設定パラメータを取得するステップと、
前記設定パラメータに基づいて前記無線ルータが初期化されているか否かを検出するステップと、
検出結果が前記無線ルータが初期化されていない状態の場合に、前記端末と前記無線ルータとの間の接続チャンネルを構築するステップと、
前記接続チャンネルを介して前記無線ルータの設定インターフェイスを取得して表示するステップと
を含むことを特徴とするルータ設定インターフェイス表示方法。
【請求項２】
前記ブロードキャスト情報中には、ルーティング管理フレームが含まれており、
前記ブロードキャスト情報中の設定パラメータを取得するステップは、
前記ルーティング管理フレームのＷＳＣ（Ｗｉ−Ｆｉ Ｓｉｍｐｌｅ Ｃｏｎｆｉｇｕｒａｔｉｏｎ）中のＷＳＣＳ（Ｗｉ−Ｆｉ Ｓｉｍｐｌｅ Ｃｏｎｆｉｇｕｒａｔｉｏｎ Ｓｔａｔｅ）を取得するステップ
を含むことを特徴とする請求項１に記載のルータ設定インターフェイス表示方法。
【請求項３】
前記設定パラメータに基づいて前記無線ルータが初期化されているか否かを検出するステップは、
前記ＷＳＣＳのプロパティ値を認識するステップと、
前記ＷＳＣＳのプロパティ値が０ｘ０１であると、前記無線ルータが初期化されていないと特定するステップと、
前記ＷＳＣＳのプロパティ値が０ｘ０２であると、前記無線ルータが既に初期化されていると特定するステップと
を含むことを特徴とする請求項２に記載のルータ設定インターフェイス表示方法。
【請求項４】
前記端末と前記無線ルータとの間の接続チャンネルを構築する前に、
前記無線ルータの設定を選択するか否かをプロンプトするためのプロンプト情報を表示するステップ
を、さらに、含むことを特徴とする請求項１に記載のルータ設定インターフェイス表示方法。
【請求項５】
前記端末と前記無線ルータとの間の接続チャンネルを構築するステップは、
前記無線ルータの設定を選択したことが検出されると、前記端末と前記無線ルータとの間の接続チャンネルを構築するステップ
を含むことを特徴とする請求項４に記載のルータ設定インターフェイス表示方法。
【請求項６】
無線ルータに適用されるルータ設定インターフェイス表示方法であって、
前記無線ルータの初期化状態を特定するステップと、
前記初期化状態に基づいて送信待ちのブロードキャスト情報中の設定パラメータを設定するステップと、
設定パラメータを設定した後の前記ブロードキャスト情報を送信するステップと
を含み、
ここで、前記ブロードキャスト情報は、端末が、前記設定パラメータに基づいて前記無線ルータが初期化されていないことが検出されると、前記端末と前記無線ルータとの間の接続チャンネルを構築し、また、前記接続チャンネルを介して前記無線ルータの設定インターフェイスを取得して表示するように、指示するための情報である
ことを特徴とするルータ設定インターフェイス表示方法。
【請求項７】
前記ブロードキャスト情報中には、ルーティング管理フレームが含まれており、
前記初期化状態に基づいて送信待ちのブロードキャスト情報中の設定パラメータを設定するステップは、
前記無線ルータの初期化状態が初期化されていない状態であると、前記ルーティング管理フレーム中のＷＳＣＳのプロパティ値を０ｘ０１に設定するステップと、
前記無線ルータの初期化状態が既に初期化されている状態であると、前記ルーティング管理フレーム中のＷＳＣＳのプロパティ値を０ｘ０２に設定するステップと
を含むことを特徴とする請求項６に記載のルータ設定インターフェイス表示方法。
【請求項８】
端末に適用されるルータ設定インターフェイス表示装置であって、
無線ルータが送信したブロードキャスト情報を受信するためのブロードキャスト受信モジュールと、
前記ブロードキャスト情報中に含まれた設定パラメータを取得するためのパラメータ取得モジュールと、
前記設定パラメータに基づいて前記無線ルータが初期化されているか否かを検出するための検出モジュールと、
前記検出モジュールの検出結果が、前記無線ルータが初期化されていない状態の場合に、前記端末と前記無線ルータとの間の接続チャンネルを構築するための接続構築モジュールと、
前記接続チャンネルを介して前記無線ルータの設定インターフェイスを取得するためのインターフェイス取得モジュールと、
前記インターフェイス取得モジュールが取得した前記設定インターフェイスを表示するためのインターフェイス表示モジュールと
を備えることを特徴とするルータ設定インターフェイス表示装置。
【請求項９】
前記ブロードキャスト情報中には、ルーティング管理フレームが含まれており、
前記パラメータ取得モジュールは、前記ルーティング管理フレームのＷＳＣ中のＷＳＣＳを取得する
ことを特徴とする請求項８に記載のルータ設定インターフェイス表示装置。
【請求項１０】
前記検出モジュールは、
前記ＷＳＣＳのプロパティ値を認識するための認識サブモジュールと、
前記ＷＳＣＳのプロパティ値が０ｘ０１であると、前記無線ルータが初期化されていないと特定するための第１特定サブモジュールと、
前記ＷＳＣＳのプロパティ値が０ｘ０２であると、前記無線ルータが既に初期化されていると特定するための第２特定サブモジュールと
を備えることを特徴とする請求項９に記載のルータ設定インターフェイス表示装置。
【請求項１１】
前記接続構築モジュールが前記端末と前記無線ルータとの間の接続を構築する前に、前記無線ルータの設定を選択するか否かをプロンプトするためのプロンプト情報を表示するためのプロンプト情報表示モジュール
を、さらに、備えることを特徴とする請求項８に記載のルータ設定インターフェイス表示装置。
【請求項１２】
前記接続構築モジュールは、前記無線ルータの設定を選択したことが検出されると、前記端末と前記無線ルータとの間の接続チャンネルを構築する
ことを特徴とする請求項１１に記載のルータ設定インターフェイス表示装置。
【請求項１３】
無線ルータに適用されるルータ設定インターフェイス表示装置であって、
前記無線ルータの初期化状態を特定するための状態特定モジュールと、
前記初期化状態に基づいて送信待ちのブロードキャスト情報中の設定パラメータを設定するためのパラメータ設定モジュールと、
設定パラメータを設定した後の前記ブロードキャスト情報を送信するための情報送信モジュールと
を備え、
ここで、前記ブロードキャスト情報は、端末が、前記設定パラメータに基づいて前記無線ルータが初期化されていないことが検出されると、前記端末と前記無線ルータとの間の接続チャンネルを構築し、また、前記接続チャンネルを介して前記無線ルータの設定インターフェイスを取得して表示するように、指示するための情報である
ことを特徴とするルータ設定インターフェイス表示装置。
【請求項１４】
前記ブロードキャスト情報中には、ルーティング管理フレームが含まれており、
前記パラメータ設定モジュールは、
前記無線ルータの初期化状態が初期化されていない状態であると、前記ルーティング管理フレーム中のＷＳＣＳのプロパティ値を０ｘ０１に設定するための第１設定サブモジュールと、
前記無線ルータの初期化状態が既に初期化されている状態であると、前記ルーティング管理フレーム中のＷＳＣＳのプロパティ値を０ｘ０２に設定するための第２設定サブモジュールと
を備えることを特徴とする請求項１３に記載のルータ設定インターフェイス表示装置。
【請求項１５】
端末に適用されるルータ設定インターフェイス表示装置であって、
プロセッサと、
前記プロセッサが実行可能な命令を記憶するためのメモリと
を備え、
前記プロセッサは、
無線ルータが送信したブロードキャスト情報を受信して、前記ブロードキャスト情報中に含まれた設定パラメータを取得し、
前記設定パラメータに基づいて前記無線ルータが初期化されているか否かを検出し、
検出結果が前記無線ルータが初期化されていない状態の場合に、前記端末と前記無線ルータとの間の接続チャンネルを構築し、
前記接続チャンネルを介して前記無線ルータの設定インターフェイスを取得して表示するように構成される
ことを特徴とするルータ設定インターフェイス表示装置。
【請求項１６】
無線ルータに適用されるルータ設定インターフェイス表示装置であって、
プロセッサと、
前記プロセッサが実行可能な命令を記憶するためのメモリと
を備え、
前記プロセッサは、
前記無線ルータの初期化状態を特定し、
前記初期化状態に基づいて送信待ちのブロードキャスト情報中の設定パラメータを設定し、
設定パラメータを設定した後の前記ブロードキャスト情報を送信するように構成され、
ここで、前記ブロードキャスト情報は、端末が、前記設定パラメータに基づいて前記無線ルータが初期化されていないことが検出されると、前記端末と前記無線ルータとの間の接続チャンネルを構築し、また、前記接続チャンネルを介して前記無線ルータの設定インターフェイスを取得して表示するように、指示するための情報である
ことを特徴とするルータ設定インターフェイス表示装置。
【請求項１７】
プロセッサに実行されることにより、請求項１から請求項５のいずれか１項に記載の端末に適用されるルータ設定インターフェイス表示方法を実現することを特徴とするプログラム。
【請求項１８】
請求項１７に記載のプログラムが記録された記録媒体。
【請求項１９】
プロセッサに実行されることにより、請求項６から請求項７のいずれか１項に記載の無線ルータに適用されるルータ設定インターフェイス表示方法を実現することを特徴とするプログラム。
【請求項２０】
請求項１９に記載のプログラムが記録された記録媒体。
【手続補正２】
【補正対象書類名】明細書
【補正対象項目名】全文
【補正方法】変更
【補正の内容】
【発明の詳細な説明】
【技術分野】
【０００１】
本発明は、無線通信分野に関し、特に、ルータ設定インターフェイス表示方法、装置、プログラム及び記録媒体に関する。
【背景技術】
【０００２】
無線ルータは、有線または無線のネットワークに接続させるための通信デバイスであり、無線信号を送受信して無線ＬＡＮを構築する。無線ルータは、初めて起動するか、或いは、出荷時設定にリカバリされた後に、初期化設定を実行した後にのみ正常のネットワークサービスを提供することができる。
【０００３】
ユーザがスマートフォンを使用して無線ルータに対して初期化設定を行う例を挙げると、関連技術では、ユーザは、無線ルータを始めて起動した後に、スマートフォンを使用して周囲の無線ネットワークをスキャンして、スキャンして取得した無線接続ネットワークリスト中から、当該無線ルータを選択して接続する。ユーザは、接続できた後に、スマートフォン内のブラウザを起動して、管理画面アドレスを入力する。ブラウザは、当該管理画面アドレスに基づいて、無線ルータから設定インターフェイスを取得して表示させることにより、ユーザが設定インターフェイスにおいて当該無線ルータに対して初期化設定を行うようにする。
【０００４】
関連技術の構成において、ユーザは、無線ルータに対して初期化設定を行う時に、スマートフォンと無線ルータとの間の接続を構築し、また、管理画面アドレスを手動的に入力しなければならなく、操作過程がより複雑になり、ユーザエクスペリエンスが悪い。
【発明の概要】
【発明が解決しようとする課題】
【０００５】
本発明は、関連技術でのユーザが無線ルータに対して初期化設定を行う時に、スマートフォンと無線ルータとの間の接続を構築し、また、管理画面アドレスを手動的に入力するため、操作過程が複雑になる問題を解決するために、以下のルータ設定インターフェイス表示方法、装置、プログラム及び記録媒体を提供する。
【課題を解決するための手段】
【０００６】
本発明の実施例に係る第１の態様によると、端末に適用されるルータ設定インターフェイス表示方法を提供する。
【０００７】
当該方法は、
無線ルータが送信したブロードキャスト情報を受信して、前記ブロードキャスト情報中に含まれた設定パラメータを取得するステップと、
前記設定パラメータに基づいて、前記無線ルータが初期化されているか否かを検出するステップと、
検出結果が前記無線ルータが初期化されていない状態の場合に、前記端末と前記無線ルータとの間の接続チャンネルを構築するステップと、
前記接続チャンネルを介して前記無線ルータの設定インターフェイスを取得して表示するステップと
を含む。
【０００８】
オプションとして、前記ブロードキャスト情報中には、ルーティング管理フレームが含まれており、
前記ブロードキャスト情報中の設定パラメータを取得するステップは、
前記ルーティング管理フレームのＷＳＣ（Ｗｉ−Ｆｉ Ｓｉｍｐｌｅ Ｃｏｎｆｉｇｕｒａｔｉｏｎ）中のＷＳＣＳ（Ｗｉ−Ｆｉ Ｓｉｍｐｌｅ Ｃｏｎｆｉｇｕｒａｔｉｏｎ Ｓｔａｔｅ）を取得するステップ
を含む。
【０００９】
オプションとして、前記設定パラメータに基づいて前記無線ルータが初期化されているか否かを検出するステップは、
前記ＷＳＣＳのプロパティ値を認識するステップと、
前記ＷＳＣＳのプロパティ値が０ｘ０１であると、前記無線ルータが初期化されていないと特定するステップと、
前記ＷＳＣＳのプロパティ値が０ｘ０２であると、前記無線ルータが既に初期化されていると特定するステップと
を含む。
【００１０】
オプションとして、前記端末と前記無線ルータとの間の接続を構築する前に、
前記無線ルータの設定を選択するか否かをプロンプトするためのプロンプト情報を表示するステップ
を、さらに、含む。
【００１１】
オプションとして、前記端末と前記無線ルータとの間の接続チャンネルを構築するステップは、
前記無線ルータの設定を選択したことが検出されると、前記端末と前記無線ルータとの間の接続チャンネルを構築するステップ
を含む。
【００１２】
本発明の実施例に係る第２の態様によると、無線ルータに適用されるルータ設定インターフェイス表示方法を提供する。
【００１３】
前記方法は、
前記無線ルータの初期化状態を特定するステップと、
前記初期化状態に基づいて送信待ちのブロードキャスト情報中の設定パラメータを設定するステップと、
設定パラメータを設定した後の前記ブロードキャスト情報を送信するステップと
を含み、
ここで、前記ブロードキャスト情報は、端末が、前記設定パラメータに基づいて前記無線ルータが初期化されていないことが検出されると、前記端末と前記無線ルータとの間の接続チャンネルを構築し、また、前記接続チャンネルを介して前記無線ルータの設定インターフェイスを取得して表示するように、指示するための情報である。
【００１４】
オプションとして、前記ブロードキャスト情報中には、ルーティング管理フレームが含まれており、
前記初期化状態に基づいて送信待ちのブロードキャスト情報中の設定パラメータを設定するステップは、
前記無線ルータの初期化状態が初期化されていない状態であると、前記ルーティング管理フレーム中のＷＳＣＳのプロパティ値を０ｘ０１に設定するステップと、
前記無線ルータの初期化状態が既に初期化されている状態であると、前記ルーティング管理フレーム中のＷＳＣＳのプロパティ値を０ｘ０２に設定するステップと
を含む。
【００１５】
本発明の実施例に係る第３の態様によると、端末に適用されるルータ設定インターフェイス表示装置を提供する。
【００１６】
前記装置は、
無線ルータが送信したブロードキャスト情報を受信するためのブロードキャスト受信モジュールと、
前記ブロードキャスト情報中に含まれた設定パラメータを取得するためのパラメータ取得モジュールと、
前記設定パラメータに基づいて前記無線ルータが初期化されているか否かを検出するための検出モジュールと、
前記検出モジュールの検出結果が、前記無線ルータが初期化されていない状態の場合に、前記端末と前記無線ルータとの間の接続チャンネルを構築するための接続構築モジュールと、
前記接続チャンネルを介して前記無線ルータの設定インターフェイスを取得するためのインターフェイス取得モジュールと、
前記インターフェイス取得モジュールが取得した前記設定インターフェイスを表示するためのインターフェイス表示モジュールと
を備える。
【００１７】
オプションとして、前記ブロードキャスト情報中には、ルーティング管理フレームが含まれており、
前記パラメータ取得モジュールは、前記ルーティング管理フレームのＷＳＣ中のＷＳＣＳを取得する。
【００１８】
オプションとして、前記検出モジュールは、
前記ＷＳＣＳのプロパティ値を認識するための認識サブモジュールと、
前記ＷＳＣＳのプロパティ値が０ｘ０１であると、前記無線ルータが初期化されていないと特定するための第１特定サブモジュールと、
前記ＷＳＣＳのプロパティ値が０ｘ０２であると、前記無線ルータが既に初期化されていると特定するための第２特定サブモジュールと
を備える。
【００１９】
オプションとして、前記装置は、
前記接続構築モジュールが前記端末と前記無線ルータとの間の接続を構築する前に、前記無線ルータの設定を選択するか否かをプロンプトするためのプロンプト情報を表示するためのプロンプト情報表示モジュール
を、さらに、備える。
【００２０】
オプションとして、前記接続構築モジュールは、前記無線ルータの設定を選択したことが検出されると、前記端末と前記無線ルータとの間の接続チャンネルを構築する。
【００２１】
本発明の実施例に係る第４の態様によると、無線ルータに適用されるルータ設定インターフェイス表示装置を提供する。
【００２２】
前記装置は、
前記無線ルータの初期化状態を特定するための状態特定モジュールと、
前記初期化状態に基づいて送信待ちのブロードキャスト情報中の設定パラメータを設定するためのパラメータ設定モジュールと、
設定パラメータを設定した後の前記ブロードキャスト情報を送信するための情報送信モジュールと
を備え、
ここで、前記ブロードキャスト情報は、端末が、前記設定パラメータに基づいて前記無線ルータが初期化されていないことが検出されると、前記端末と前記無線ルータとの間の接続チャンネルを構築し、また、前記接続チャンネルを介して前記無線ルータの設定インターフェイスを取得して表示するように、指示するための情報である。
【００２３】
オプションとして、前記ブロードキャスト情報中には、ルーティング管理フレームが含まれており、
前記パラメータ設定モジュールは、
前記無線ルータの初期化状態が初期化されていない状態であると、ルーティング管理フレーム中のＷＳＣＳを０ｘ０１に設定するための第１設定サブモジュールと、
前記無線ルータの初期化状態が既に初期化されている状態であると、前記ルーティング管理フレーム中のＷＳＣＳのプロパティ値を０ｘ０２に設定するための第２設定サブモジュールと
を備える。
【００２４】
本発明の実施例に係る第５の態様によると、端末に適用されるルータ設定インターフェイス表示装置を提供する。
【００２５】
前記装置は、
プロセッサと、
前記プロセッサが実行可能な命令を記憶するためのメモリと
を備え、
前記プロセッサは、
無線ルータが送信したブロードキャスト情報を受信して、前記ブロードキャスト情報中に含まれた設定パラメータを取得し、
前記設定パラメータに基づいて前記無線ルータが初期化されているか否かを検出し、
検出結果が前記無線ルータが初期化されていない状態の場合に、前記端末と前記無線ルータとの間の接続を構築し、
前記接続を介して前記無線ルータの設定インターフェイスを取得して表示するように構成される。
【００２６】
本発明の実施例に係る第６の態様によると、無線ルータに適用されるルータ設定インターフェイス表示装置を提供する。
【００２７】
前記装置は、
プロセッサと、
前記プロセッサが実行可能な命令を記憶するためのメモリと
を備え、
前記プロセッサは、
前記無線ルータの初期化状態を特定し、
前記初期化状態に基づいて送信待ちのブロードキャスト情報中の設定パラメータを設定し、
設定パラメータを設定した後の前記ブロードキャスト情報を送信するように構成され、
ここで、前記ブロードキャスト情報は、端末が、前記設定パラメータに基づいて前記無線ルータが初期化されていないことが検出されると、前記端末と前記無線ルータとの間の接続を構築し、また、前記接続を介して前記無線ルータの設定インターフェイスを取得して表示するように指示するための情報である。
【００２８】
本発明の実施例の第７の態様によると、プログラムを提供し、当該プログラムは、プロセッサに実行されることにより、上記の情端末に適用されるルータ設定インターフェイス表示方法を実現する。
【００２９】
本発明の実施例の第８の態様によると、記録媒体を提供し、当該記録媒体には、上記プログラムが記録されている。
【００３０】
本発明の実施例の第９の態様によると、プログラムを提供し、当該プログラムは、プロセッサに実行されることにより、上記の無線ルータに適用されるルータ設定インターフェイス表示方法を実現する。
【００３１】
本発明の実施例の第１０の態様によると、記録媒体を提供し、当該記録媒体には、上記プログラムが記録されている。
【００３２】
本発明の実施例が提供する構成の有益な効果は以下のとおりである。
【００３３】
無線ルータが送信したブロードキャスト情報中の設定パラメータに基づいて、当該無線ルータが初期化されているか否かを検出し、当該無線ルータが初期化されていないと、当該無線ルータとの間の接続チャンネルを自動的に構築し、また、当該無線ルータから設定情報を取得して表示することにより、関連技術での、ユーザが接続を構築する処理を実行し、また、管理画面アドレスを手動的に入力する操作を実行しなければならなく、操作過程が複雑になってしまう問題を解決して、ユーザの操作を簡素化して、ユーザエクスペリエンスを改善する効果を得た。
【００３４】
以上の統括した記述と以下の細部記述は、ただ例示的なものであり、本発明を制限するものではないと、理解するべきである。
【図面の簡単な説明】
【００３５】
ここでの図面は、明細書に合併されて本明細書の一部を構成して本発明に合致する実施例を示し、明細書とともに本発明の原理を説明するために用いられる。
【図１】例示的な一部の実施例に係るルータ設定インターフェイス表示方法の実施環境を示す模式図である。
【図２】例示的な一実施例に係るルータ設定インターフェイス表示方法を示すフローチャートである。
【図３】例示的なもう一実施例に係るルータ設定インターフェイス表示方法を示すフローチャートである。
【図４】例示的なさらにもう一実施例に係るルータ設定インターフェイス表示方法を示すフローチャートである。
【図５】例示的な一実施例に係るルータ設定インターフェイス表示方法を示すフローチャートである。
【図６】例示的なもう一実施例に係るルータ設定インターフェイス表示方法を示すフローチャートである。
【図７】例示的な一実施例に係るルータ設定インターフェイス表示方法を示すフローチャートである。
【図８】例示的な一実施例に係るルータ設定インターフェイス表示装置を示すブロック図である。
【図９】例示的なもう一実施例に係るルータ設定インターフェイス表示装置を示すブロック図である。
【図１０】例示的な一実施例に係るルータ設定インターフェイス表示装置を示すブロック図である。
【図１１】例示的なもう一実施例に係るルータ設定インターフェイス表示装置を示すブロック図である。
【図１２】例示的な一実施例に係るルータ設定インターフェイス表示装置を示すブロック図である。
【図１３】例示的な一実施例に係るルータ設定インターフェイス表示装置を示すブロック図である。
【発明を実施するための形態】
【００３６】
ここで、例示的な実施例を詳細に説明する。また、説明中の例は、図面に示している。以下の記述において、図面を説明する際に特に説明しない場合、異なる図面中の同一の符号は、同一或は同様な要素を意味する。以下の例示的な実施例において記述する実施方法は、本発明に合致するすべての実施方法を代表しない。逆に、それらは、添付の特許請求の範囲において詳細に記述された、本発明のいくつかの態様と合致する装置、及び方法の例に過ぎない。
【００３７】
図１は、本発明の各実施例によって提供するルータ設定インターフェイス表示方法の実施環境の模式図である。当該実施環境は、端末１２０、及び無線ルータ１４０を含む。
【００３８】
端末１２０は、スマートフォン、タブレットＰＣ、電子ブックリーダー、或いは、ノートパソコン等のような、無線ネットワーク接続機能を有するスマート端末であってもよい。無線ルータ１４０は、インターネット１６０に接続できる。端末１２０と無線ルータ１４０との間は、例えばＷｉ−Ｆｉ（Ｗｉｒｅｌｅｓｓ Ｆｉｄｅｌｉｔｙ、ワイヤレス・フィディリティー）のような、短距離無線接続が構築されてもよい。
【００３９】
図２は、例示的な一実施例に係るルータ設定インターフェイス表示方法を示すフローチャートである。当該ルータ設定インターフェイス表示方法は、図１に示した実施環境中の端末１２０に適用される。図２に示したように、当該ルータ設定インターフェイス表示方法は、以下のステップを含んでもよい。
【００４０】
ステップ２０２において、無線ルータが送信したブロードキャスト情報を受信して、当該ブロードキャスト情報中に含まれた設定パラメータを取得する。
【００４１】
ステップ２０４において、当該設定パラメータに基づいて、当該無線ルータが初期化されているか否かを検出する。
【００４２】
ステップ２０６において、検出結果が、当該無線ルータが初期化されていない状態の場合に、当該端末と当該無線ルータとの間の接続チャンネルを構築する。
【００４３】
ステップ２０８において、当該接続チャンネルを介して、当該無線ルータの設定インターフェイスを取得して表示する。
【００４４】
オプションとして、ブロードキャスト情報は、ルーティング管理フレームをふくみ、当該ブロードキャスト情報中の設定パラメータを取得するステップは、
当該ルーティング管理フレームのワイヤレス・フィディリティー・シンプル設定情報（Ｗｉ−Ｆｉ Ｓｉｍｐｌｅ Ｃｏｎｆｉｇｕｒａｔｉｏｎであり、以下、ＷＳＣと略称する）中のワイヤレス・フィディリティー・シンプル設定状態識別子（Ｗｉ−Ｆｉ Ｓｉｍｐｌｅ Ｃｏｎｆｉｇｕｒａｔｉｏｎ Ｓｔａｔｅであり、以下、ＷＳＣＳと略称する）を取得するステップを含む。
【００４５】
オプションとして、当該設定パラメータに基づいて、当該無線ルータが初期化されているか否かを検出するステップは、
当該ＷＳＣＳのプロパティ値を認識するステップと、
当該ＷＳＣＳのプロパティ値が０ｘ０１であると、当該無線ルータが初期化されていないと特定するステップと、
当該ＷＳＣＳのプロパティ値が０ｘ０２であると、当該無線ルータが既に初期化されていると特定するステップと
を含む。
【００４６】
オプションとして、当該端末と当該無線ルータとの間の接続チャンネルを構築する前に、当該無線ルータの設定を選択するか否かをプロンプトするためのプロンプト情報を表示するステップを、さらに、含む。
【００４７】
オプションとして、当該端末と当該無線ルータとの間の接続チャンネルを構築するステップは、
当該無線ルータの設定を選択したことが検出されると、当該端末と当該無線ルータとの間の接続チャンネルを構築するステップを含む。
【００４８】
上記のように、本発明の実施例によって提供するルータ設定インターフェイス表示方法によると、無線ルータが送信したブロードキャスト情報中の設定パラメータに基づいて、当該無線ルータが初期化されているか否かを検出し、当該無線ルータが初期化されていないと、当該無線ルータとの間の接続チャンネルを自動的に構築し、また、当該無線ルータから設定情報を取得して表示することにより、関連技術での、ユーザが接続を構築する処理を実行し、また、管理画面アドレスを手動的に入力する操作を実行しなければならなく、操作過程が複雑になってしまう問題を解決して、ユーザの操作を簡素化して、ユーザエクスペリエンスを改善する効果を得た。
【００４９】
図３は、例示的なもう一実施例に係るルータ設定インターフェイス表示方法を示すフローチャートである。当該ルータ設定インターフェイス表示方法は、図１に示した実施環境中の端末１２０に適用される。図３に示したように、当該ルータ設定インターフェイス表示方法は、以下のステップを含んでもよい。
【００５０】
ステップ３０２において、無線ルータが送信したブロードキャスト情報を受信する。
【００５１】
無線ルータは、起動されて動作する時に、所定の周期に従ってブロードキャスト情報を送信する。当該ブロードキャスト情報には、例えば、当該無線ルータのＳＳＩＤ（Ｓｅｒｖｉｃｅ Ｓｅｔ Ｉｄｅｎｔｉｆｉｅｒ、サービスセット識別子）等のような、当該無線ルータの基本的な情報が含まれている。
【００５２】
ステップ３０４において、当該ブロードキャスト情報のルーティング管理フレーム中から、設定パラメータを取得する。
【００５３】
当該ブロードキャスト情報には、ルーティング管理フレームが含まれている。スマートフォンは、ブロードキャスト情報を受信した後、ブロードキャスト情報のルーティング管理フレーム中から、当該設定パラメータを取得してもよい。
【００５４】
例えば、スマートフォンは、当該ルーティング管理フレームのＷＳＣ中のＷＳＣＳを取得してもよい。
【００５５】
実際の応用において、当該設定パラメータは、ルーティング管理フレーム中に設定されていなく、ブロードキャスト情報中の、ルーティング管理フレーム以外の他の空きデータフレーム中に設定されていてもよい。本発明の実施例において、ブロードキャスト情報中に設定パラメータを付加する方法に対して、限定しない。
【００５６】
ステップ３０６において、当該設定パラメータに基づいて、当該無線ルータが初期化されているか否かを検出する。
【００５７】
当該設定パラメータがＷＳＣＳである例を挙げると、無線ルータは、ブロードキャスト情報を送信する際に、当該無線ルータがまだ初期化設定されていないと、ＷＳＣＳを０ｘ０１に設定し、当該無線ルータが既に初期化設定されていると、ＷＳＣＳを０ｘ０２に設定する。スマートフォンは、当該ブロードキャスト情報を受信した後に、ＷＳＣＳの値を読み取って、当該ＷＳＣＳが０ｘ０１であると、当該ルータがまだ初期化されていないと特定してもよい。
【００５８】
実際の応用において、当該設定パラメータは、ＷＳＣＳに限定されず、無線ルータの初期化状態を示すための他の任意の情報であってもよく、本発明の実施例においては、設定パラメータの表現方法に対して、限定しない。
【００５９】
ステップ３０８において、検出結果が、当該無線ルータが初期化されていない状態の場合に、当該端末と当該無線ルータとの間の接続チャンネルを構築する。
【００６０】
スマートフォンは、当該ブロードキャスト情報中のＷＳＣＳが０ｘ０１であると、当該無線ルータとの間の接続チャンネルを構築してもよい。
【００６１】
例えば、当該スマートフォンは、他の無線接続点にまだ接続されていない場合には、当該無線ルータとの間の接続チャンネルを直接に構築し、また、他の無線接続点に既に接続されている場合には、当該無線ルータに切り替えしてもよい。
【００６２】
ステップ３１０において、当該接続チャンネルを介して、当該無線ルータの設定インターフェイスを取得して表示する。
【００６３】
スマートフォンは、当該無線ルータとの接続チャンネルを構築した後に、当該無線ルータから設定インターフェイスを取得して、当該設定インターフェイスをブラウザ画面中に表示することにより、ユーザが、当該設定インターフェイスにおいて、当該無線ルータに対して、例えば、接続設定パスワード、アクセス方法、暗号化方法、及び接続モード等のような、初期化設定を行うようにする。
【００６４】
上記のように、本発明の実施例によって提供するルータ設定インターフェイス表示方法によると、無線ルータが送信したブロードキャスト情報中の設定パラメータに基づいて、当該無線ルータが初期化されているか否かを検出し、当該無線ルータが初期化されていないと、当該無線ルータとの間の接続チャンネルを自動的に構築し、また、当該無線ルータから設定情報を取得して表示することにより、関連技術での、ユーザが接続を構築する処理を実行し、また、管理画面アドレスを手動的に入力する操作を実行しなければならなく、操作過程が複雑になってしまう問題を解決して、ユーザの操作を簡素化して、ユーザエクスペリエンスを改善する効果を得た。
【００６５】
図４は、例示的なさらにもう一実施例に係るルータ設定インターフェイス表示方法を示すフローチャートである。当該ルータ設定インターフェイス表示方法は、図１に示した実施環境中の端末１２０に適用される。図４に示したように、当該ルータ設定インターフェイス表示方法は、以下のステップを含んでもよい。
【００６６】
ステップ４０２において、無線ルータが送信したブロードキャスト情報を受信する。
【００６７】
無線ルータは、起動されて動作する時に、所定の周期に従ってブロードキャスト情報を送信する。当該ブロードキャスト情報には、例えば、当該無線ルータのＳＳＩＤ（Ｓｅｒｖｉｃｅ Ｓｅｔ Ｉｄｅｎｔｉｆｉｅｒ、サービスセット識別子）等のような、当該無線ルータの基本的な情報が含まれている。
【００６８】
ステップ４０４において、当該ブロードキャスト情報のルーティング管理フレーム中から、設定パラメータを取得する。
【００６９】
当該ブロードキャスト情報には、ルーティング管理フレームが含まれている。スマートフォンは、ブロードキャスト情報を受信した後、ブロードキャスト情報のルーティング管理フレーム中から、当該設定パラメータを取得してもよい。
【００７０】
例えば、スマートフォンは、当該ルーティング管理フレームのＷＳＣ中のＷＳＣＳを取得してもよい。
【００７１】
実際の応用において、当該設定パラメータは、ルーティング管理フレーム中に設定されていなく、ブロードキャスト情報中の、ルーティング管理フレーム以外の他の空きデータフレーム中に設定されていてもよい。本発明の実施例において、ブロードキャスト情報中に設定パラメータを付加する方法に対して、限定しない。
【００７２】
ステップ４０６において、当該設定パラメータに基づいて、当該無線ルータが初期化されているか否かを検出する。
【００７３】
スマートフォンは、当該ＷＳＣＳのプロパティ値を認識してもよい。当該ＷＳＣＳのプロパティ値が０ｘ０１であると、当該無線ルータが初期化されていないと特定し、当該ＷＳＣＳのプロパティ値が０ｘ０２であると、当該無線ルータが既に初期化されていると特定する。
【００７４】
当該設定パラメータがＷＳＣＳである例を挙げると、無線ルータは、ブロードキャスト情報を送信する際に、当該無線ルータがまだ初期化設定されていないと、ＷＳＣＳを０ｘ０１に設定し、当該無線ルータが既に初期化設定されていると、ＷＳＣＳを０ｘ０２に設定する。スマートフォンは、当該ブロードキャスト情報を受信した後に、ＷＳＣＳの値を読み取って、当該ＷＳＣＳが０ｘ０１であると、当該ルータがまだ初期化されていないと特定してもよい。
【００７５】
実際の応用において、当該設定パラメータは、ＷＳＣＳに限定されず、無線ルータの初期化状態を示すための他の任意の情報であってもよく、本発明の実施例においては、設定パラメータの表現方法に対して、限定しない。
【００７６】
ステップ４０８において、検出結果が、当該無線ルータが初期化されていない状態の場合に、当該無線ルータの設定を選択するか否かをプロンプトするためのプロンプト情報を表示する。
【００７７】
スマートフォンは、当該ブロードキャスト情報中のＷＳＣＳが０ｘ０１であると、プロンプト・ボックスを表示する。当該プロンプト・ボックスは、ユーザに、当該無線ルータの初期化設定を選択するか否かを、プロンプトするためのものである。
【００７８】
また、スマートフォンは、初期化されていない無線ルータを二つ或いは二つ以上をスキャンして検出した場合、二つ或いは二つ以上の、初期化されてない無線ルータの識別子（例えば、各無線ルータのＳＳＩＤ）を、リストの形でユーザに表示させて、ユーザが、リスト中から一つの設定を選択してもよい。
【００７９】
ステップ４１０において、当該無線ルータの設定を選択したことが検出されると、当該無線ルータとの間の接続チャンネルを構築する。
【００８０】
スマートフォンは、ユーザが当該無線ルータの設定を選択すると、当該無線ルータとの間の接続チャンネルを構築してもよい。
【００８１】
例えば、当該スマートフォンは、他の無線接続点にまだ接続されていない場合には、当該無線ルータとの間の接続チャンネルを直接に構築し、また、他の無線接続点に既に接続されている場合には、当該無線ルータに切り替えしてもよい。
【００８２】
ステップ４１２において、当該接続チャンネルを介して、当該無線ルータの設定インターフェイスを取得して表示する。
【００８３】
スマートフォンは、当該無線ルータとの接続チャンネルを構築し、且つ、ユーザにより当該無線ルータの初期化設定を選択した後に、当該無線ルータから設定インターフェイスを取得し、また、当該設定インターフェイスをブラウザ画面に表示することにより、ユーザが、ユーザが、当該設定インターフェイスにおいて、当該無線ルータに対して、例えば、接続設定パスワード、アクセス方法、暗号化方法、及び接続モード等のような、初期化設定を行うようにする。
【００８４】
オプションとして、無線ルータが送信したブロードキャスト情報中には、当該無線ルータの管理画面アドレス（ａｄｍｉｎ ｂａｃｋｓｔａｇｅ ａｄｄｒｅｓｓ）が、さらに、含まれている。スマートフォンは、当該ブロードキャスト情報中から、当該管理画面アドレスを抽出して、当該管理画面アドレスに基づいて、当該無線ルータから設定インターフェイスを取得して表示する。
【００８５】
各モデルの無線ルータの管理画面アドレスは、同一ではない。本発明の実施例において、無線ルータは、自身の管理画面アドレスをブロードキャスト情報中に付加する。スマートフォンは、当該ブロードキャスト情報を受信し、また、当該無線ルータがまだ初期化設定されていないことが検出されると、ブロードキャスト情報中に付加された管理画面アドレスに基づいて、当該無線ルータの設定インターフェイスを取得する。
【００８６】
当該ブロードキャスト情報中には、当該無線ルータのモデル情報が付加されていてもよい。スマートフォンは、当該無線ルータのモデル情報に基づいて、当該無線ルータの管理画面アドレスを特定して、さらに、特定された管理画面アドレスに基づいて設定インターフェイスを取得してもよい。或いは、無線ルータの管理画面アドレスの種類がより少なく、例えば、現在、一般的に適用される管理画面アドレスは、「１９２.１６８.１.１」と「１９２.１６８.０.１」との二種がある。スマートフォンは、以上の二つの管理画面アドレスを次第に試して、当該設定インターフェイスを取得してもよい。
【００８７】
上記のように、本発明の実施例によって提供するルータ設定インターフェイス表示方法によると、無線ルータが送信したブロードキャスト情報中の設定パラメータに基づいて、当該無線ルータが初期化されているか否かを検出し、当該無線ルータが初期化されていないと、当該無線ルータとの間の接続チャンネルを自動的に構築し、また、当該無線ルータから設定情報を取得して表示することにより、関連技術での、ユーザが接続を構築する処理を実行し、また、管理画面アドレスを手動的に入力する操作を実行しなければならなく、操作過程が複雑になってしまう問題を解決して、ユーザの操作を簡素化して、ユーザエクスペリエンスを改善する効果を得た。
【００８８】
図５は、例示的な一実施例に係るルータ設定インターフェイス表示方法を示すフローチャートである。当該ルータ設定インターフェイス表示方法は、図１に示した実施環境の無線ルータ１４０に適用される。図５に示したように、当該ルータ設定インターフェイス表示方法は、以下のステップを含んでもよい。
【００８９】
ステップ５０２において、当該無線ルータの初期化状態を特定する。
【００９０】
ステップ５０４において、当該初期化状態に基づいて、送信待ちのブロードキャスト情報中の設定パラメータを設定する。
【００９１】
ステップ５０６において、当該設定パラメータを設定した後の当該ブロードキャスト情報を送信し、ここで、当該ブロードキャストは、端末が、当該設定パラメータに基づいて、当該無線ルータが初期化されていないことが検出されると、当該端末と当該無線ルータとの間の接続チャンネルを構築し、また、当該接続チャンネルを介して、当該無線ルータの設定インターフェイスを取得して表示するように、指示するための情報である。
【００９２】
上記のように、本発明の実施例によって提供する無線ルータ設定インターフェイス表示方法によると、無線ルータの初期化状態に基づいて、無線ルータのブロードキャスト情報中に設定パラメータを設定することにより、端末が、当該設定パラメータに基づいて、当該無線ルータが初期化されていないことが検出されると、当該端末と当該無線ルータとの間の接続チャンネルを構築し、また、当該接続を介して当該無線ルータの設定インターフェイスを取得して表示するようにする。このようにして、関連技術での、ユーザが接続を構築する処理を実行し、また、管理画面アドレスを手動的に入力する操作を実行しなければならなく、操作過程が複雑になってしまう問題を解決して、ユーザの操作を簡素化して、ユーザエクスペリエンスを改善する効果を得た。
【００９３】
図６は、例示的なもう一実施例に係るルータ設定インターフェイス表示方法を示すフローチャートである。当該ルータ設定インターフェイス表示方法は、図１に示した実施環境の無線ルータ１４０に適用される。図６に示したように、当該ルータ設定インターフェイス表示方法は、以下のステップを含んでもよい。
【００９４】
ステップ６０２において、無線ルータの初期化状態を特定して、当該初期化状態に基づいて、送信待ちのブロードキャスト情報中の設定パラメータを設定する。
【００９５】
当該ブロードキャスト情報には、ルーティング管理フレームが含まれている。無線ルータは、当該ルーティング管理フレーム中に設定パラメータを設定してもよい。実際の応用において、当該設定パラメータは、ルーティング管理フレーム中に設定されていなく、ブロードキャスト情報中の、ルーティング管理フレーム以外の他の空きデータフレーム中に設定されていてもよい。本発明の実施例において、ブロードキャスト情報中に設定パラメータを付加する方法に対して、限定しない。
【００９６】
設定パラメータを設定する時に、当該無線ルータの初期化状態が初期化されていない状態であると、当該ルーティング管理フレーム中のＷＳＣＳを０ｘ０１に設定し、当該無線ルータの初期化状態が既に初期化されている状態であると、当該ルーティング管理フレーム中のＷＳＣＳのプロパティ値を０ｘ０２に設定する。
【００９７】
当該設定パラメータがＷＳＣＳである例を挙げると、無線ルータは、ブロードキャスト情報を送信する際に、当該無線ルータがまだ初期化設定されていないと、ＷＳＣＳを０ｘ０１に設定し、当該無線ルータが既に初期化設定されていると、ＷＳＣＳを０ｘ０２に設定する。
【００９８】
実際の応用において、当該設定パラメータは、ＷＳＣＳに限定されず、無線ルータの初期化状態を示すための他の任意の情報であってもよく、本発明の実施例においては、設定パラメータの表現方法に対して、限定しない。
【００９９】
ステップ６０４において、当該設定パラメータを設定した後の当該ブロードキャスト情報を送信し、ここで、当該ブロードキャスト情報は、端末が、当該設定パラメータに基づいて、当該無線ルータが初期化されていないことが検出されると、当該端末と当該無線ルータとの間の接続チャンネルを構築し、また、当該接続チャンネルを介して、当該無線ルータの設定インターフェイスを取得して表示するように、指示するための情報である。
【０１００】
スマートフォンは、当該ブロードキャスト情報が受信した後に、ＷＳＣＳの値を読み取って、当該ＷＳＣＳが０ｘ０１であると、当該ルータがまだ初期化されていないと特定してもよい。
【０１０１】
オプションとして、無線ルータは、ブロードキャスト情報中に当該無線ルータの管理画面アドレスを付加してもよく、スマートフォンは、当該ブロードキャスト情報中から当該管理画面アドレスを抽出して、当該管理画面アドレスに基づいて当該無線ルータから設定インターフェイスを取得して表示してもよい。
【０１０２】
各モデルの無線ルータの管理画面アドレスは、同一ではない。本発明の実施例において、無線ルータは、自身の管理画面アドレスをブロードキャスト情報中に付加する。スマートフォンは、当該ブロードキャスト情報を受信し、また、当該無線ルータがまだ初期化設定されていないことが検出されると、ブロードキャスト情報中に付加された管理画面アドレスに基づいて、当該無線ルータの設定インターフェイスを取得する。
【０１０３】
或いは、無線ルータは、ブロードキャスト情報中に当該無線ルータのモデル情報を付加してもよく、スマートフォンは、当該無線ルータのモデル情報に基づいて当該無線ルータの管理画面アドレスを特定して、さらに、特定された管理画面アドレスに基づいて設定インターフェイスを取得してもよい。
【０１０４】
上記のように、本発明の実施例によって提供するルータ設定インターフェイス表示方法によると、無線ルータの初期化状態に基づいて、無線ルータのブロードキャスト情報中に設定パラメータを設定することにより、端末が、当該設定パラメータに基づいて、当該無線ルータが初期化されていないことが検出されると、当該端末と当該無線ルータとの間の接続チャンネルを構築し、また、当該接続を介して当該無線ルータの設定インターフェイスを取得して表示するようにする。このようにして、関連技術での、ユーザが接続を構築する処理を実行し、また、管理画面アドレスを手動的に入力する操作を実行しなければならなく、操作過程が複雑になってしまう問題を解決して、ユーザの操作を簡素化して、ユーザエクスペリエンスを改善する効果を得た。
【０１０５】
図７は、例示的な一実施例に係るルータ設定インターフェイス表示方法を示すフローチャートである。当該ルータ設定インターフェイス表示方法は、図１に示した実施環境中に適用される。図７に示したように、当該ルータ設定インターフェイス表示方法は、以下のステップを含んでもよい。
【０１０６】
ステップ７０２において、無線ルータは、初期化状態に基づいて、送信待ちのブロードキャスト情報中の設定パラメータを設定する。
【０１０７】
無線ルータは、起動されて動作する時に、所定の周期に従ってブロードキャスト情報を送信する。当該ブロードキャスト情報には、例えば、当該無線ルータのＳＳＩＤ（Ｓｅｒｖｉｃｅ Ｓｅｔ Ｉｄｅｎｔｉｆｉｅｒ、サービスセット識別子）等のような、当該無線ルータの基本的な情報が含まれている。
【０１０８】
当該ブロードキャスト情報には、ルーティング管理フレームが含まれている。本発明の実施例において、無線ルータは、当該ルーティング管理フレーム中に、設定パラメータを設定する。実際の応用において、当該設定パラメータは、ルーティング管理フレーム中に設定されていなく、ブロードキャスト情報中の、ルーティング管理フレーム以外の他の空きデータフレーム中に設定されていてもよい。本発明の実施例において、ブロードキャスト情報中に設定パラメータを付加する方法に対して、限定しない。
【０１０９】
設定パラメータを設定する時に、当該無線ルータの初期化状態が初期化されていない状態であると、当該ルーティング管理フレーム中のＷＳＣＳを０ｘ０１に設定し、当該無線ルータの初期化状態が既に初期化されている状態であると、当該ルーティング管理フレーム中のＷＳＣＳのプロパティ値を０ｘ０２に設定する。
【０１１０】
実際の応用において、当該設定パラメータは、ＷＳＣＳに限定されず、無線ルータの初期化状態を示すための他の任意の情報であってもよく、本発明の実施例においては、設定パラメータの表現方法に対して、限定しない。
【０１１１】
ステップ７０４において、無線ルータは、当該設定パラメータを設定した後の当該ブロードキャスト情報を送信する。
【０１１２】
ステップ７０６において、端末は、当該ブロードキャスト情報を受信して、当該設定パラメータを取得し、また、当該設定パラメータに基づいて、当該無線ルータが初期化されているか否かを検出する。
【０１１３】
当該設定パラメータがＷＳＣＳである例を挙げると、スマートフォンは、当該ブロードキャスト情報を受信した後に、ＷＳＣＳの値を読み取って、当該ＷＳＣＳが０ｘ０１であると、当該無線ルータがまだ初期化されていないと特定してもよい。
【０１１４】
ステップ７０８において、端末は、検出結果が、当該無線ルータが初期化されていない状態の場合に、当該無線ルータの設定を選択するか否かをプロンプトするためのプロンプト情報を表示する。
【０１１５】
スマートフォンは、当該ブロードキャスト情報中のＷＳＣＳが０ｘ０１であると、プロンプト・ボックスを表示する。当該プロンプト・ボックスは、ユーザに、当該無線ルータの初期化設定を選択するか否かを、プロンプトするためのものである。
【０１１６】
また、スマートフォンは、初期化されていない無線ルータを二つ或いは二つ以上をスキャンして検出した場合、二つ或いは二つ以上の、初期化されてない無線ルータの識別子（例えば、各無線ルータのＳＳＩＤ）を、リストの形でユーザに表示させて、ユーザが、リスト中から一つの設定を選択してもよい。
【０１１７】
ステップ７１０において、端末は、当該無線ルータの設定を選択したことが検出されると、当該無線ルータとの間の接続チャンネルを構築する。
【０１１８】
スマートフォンは、ユーザにより当該無線ルータの設定を選択した場合、当該無線ルータとの間の接続チャンネルを構築してもよい。例えば、当該スマートフォンは、他の無線接続点にまだ接続されていない場合には、当該無線ルータとの間の接続チャンネルを直接に構築し、また、他の無線接続点に既に接続されている場合には、当該無線ルータに切り替えしてもよい。
【０１１９】
ステップ７１２において、端末は、当該接続チャンネルを介して、当該無線ルータの設定インターフェイスを取得して表示する。
【０１２０】
スマートフォンは、当該無線ルータとの接続チャンネルを構築し、且つ、ユーザにより当該無線ルータの初期化設定を選択した後に、当該無線ルータから設定インターフェイスを取得し、また、当該設定インターフェイスをブラウザ画面に表示することにより、ユーザが、ユーザが、当該設定インターフェイスにおいて、当該無線ルータに対して、例えば、接続設定パスワード、アクセス方法、暗号化方法、及び接続モード等のような、初期化設定を行うようにする。
【０１２１】
オプションとして、無線ルータが送信したブロードキャスト情報中には、当該無線ルータの管理画面アドレスが、さらに、含まれている。スマートフォンは、当該ブロードキャスト情報中から、当該管理画面アドレスを抽出して、当該管理画面アドレスに基づいて、当該無線ルータから設定インターフェイスを取得して表示する。
【０１２２】
各モデルの無線ルータの管理画面アドレスは、同一ではない。本発明の実施例において、無線ルータは、自身の管理画面アドレスをブロードキャスト情報中に付加する。スマートフォンは、当該ブロードキャスト情報を受信し、また、当該無線ルータがまだ初期化設定されていないことが検出されると、ブロードキャスト情報中に付加された管理画面アドレスに基づいて、当該無線ルータの設定インターフェイスを取得する。
【０１２３】
当該ブロードキャスト情報中には、当該無線ルータのモデル情報が付加されていてもよい。スマートフォンは、当該無線ルータのモデル情報に基づいて、当該無線ルータの管理画面アドレスを特定して、さらに、特定された管理画面アドレスに基づいて設定インターフェイスを取得してもよい。或いは、無線ルータの管理画面アドレスの種類がより少なく、例えば、現在、一般的に適用される管理画面アドレスは、「１９２.１６８.１.１」と「１９２.１６８.０.１」との二種がある。スマートフォンは、以上の二つの管理画面アドレスを次第に試して、当該設定インターフェイスを取得してもよい。
【０１２４】
上記のように、本発明の実施例によって提供するルータ設定インターフェイス表示方法によると、端末無線ルータが送信したブロードキャスト情報中の設定パラメータに基づいて、当該無線ルータが初期化されているか否かを検出し、当該無線ルータが初期化されていないと、当該無線ルータとの間の接続チャンネルを自動的に構築し、また、当該無線ルータから設定情報を取得して表示することにより、関連技術での、ユーザが接続を構築する処理を実行し、また、管理画面アドレスを手動的に入力する操作を実行しなければならなく、操作過程が複雑になってしまう問題を解決して、ユーザの操作を簡素化して、ユーザエクスペリエンスを改善する効果を得た。
【０１２５】
以下は、本発明の装置の実施例であり、本発明の方法の実施例を実行することができる。本発明の装置の実施例において記述していない細部内容に対しては、本発明の方法の実施例を参照してください。
【０１２６】
図８は、例示的な一実施例に係るルータ設定インターフェイス表示装置を示すブロック図である。当該ルータ設定インターフェイス表示装置は、図１に示した実施環境中の端末１２０に適用される。図８に示したように、当該ルータ設定インターフェイス表示装置は、ブロードキャスト受信モジュール８０１、パラメータ取得モジュール８０２、検出モジュール８０３、接続構築モジュール８０４、インターフェイス取得モジュール８０５、及びインターフェイス表示モジュール８０６を含むが、これに限定されない。
【０１２７】
前記ブロードキャスト受信モジュール８０１は、無線ルータが送信したブロードキャスト情報を受信する。
【０１２８】
前記パラメータ取得モジュール８０２は、前記ブロードキャスト情報中に含まれた設定パラメータを取得する。
【０１２９】
前記検出モジュール８０３は、前記設定パラメータに基づいて前記無線ルータが初期化されているか否かを検出する。
【０１３０】
前記接続構築モジュール８０４は、前記検出モジュール８０３の検出結果が、前記無線ルータが初期化されていない状態の場合に、前記端末と前記無線ルータとの間の接続チャンネルを構築する。
【０１３１】
前記インターフェイス取得モジュール８０５は、前記接続チャンネルを介して前記無線ルータの設定インターフェイスを取得する。
【０１３２】
前記インターフェイス表示モジュール８０６は、前記インターフェイス取得モジュール８０５が取得した前記設定インターフェイスを表示する。
【０１３３】
上記のように、本発明の実施例によって提供するルータ設定インターフェイス表示装置によると、端末無線ルータが送信したブロードキャスト情報中の設定パラメータに基づいて、当該無線ルータが初期化されているか否かを検出し、当該無線ルータが初期化されていないと、当該無線ルータとの間の接続チャンネルを自動的に構築し、また、当該無線ルータから設定情報を取得して表示することにより、関連技術での、ユーザが接続を構築する処理を実行し、また、管理画面アドレスを手動的に入力する操作を実行しなければならなく、操作過程が複雑になってしまう問題を解決して、ユーザの操作を簡素化して、ユーザエクスペリエンスを改善する効果を得た。
【０１３４】
図９は、例示的なもう一実施例に係るルータ設定インターフェイス表示装置を示すブロック図である。当該ルータ設定インターフェイス表示装置は、図１に示した実施環境中の端末１２０に適用される。図９に示したように、当該ルータ設定インターフェイス表示装置は、ブロードキャスト受信モジュール８０１、パラメータ取得モジュール８０２、検出モジュール８０３、接続構築モジュール８０４、インターフェイス取得モジュール８０５、及びインターフェイス表示モジュール８０６を含むが、これに限定されない。
【０１３５】
前記ブロードキャスト受信モジュール８０１は、無線ルータが送信したブロードキャスト情報を受信する。
【０１３６】
前記パラメータ取得モジュール８０２は、前記ブロードキャスト情報中に含まれた設定パラメータを取得する。
【０１３７】
前記検出モジュール８０３は、前記設定パラメータに基づいて前記無線ルータが初期化されているか否かを検出する。
【０１３８】
前記接続構築モジュール８０４は、前記検出モジュール８０３の検出結果が、前記無線ルータが初期化されていない状態の場合に、前記端末と前記無線ルータとの間の接続チャンネルを構築する。
【０１３９】
前記インターフェイス取得モジュール８０５は、前記接続チャンネルを介して前記無線ルータの設定インターフェイスを取得する。
【０１４０】
前記インターフェイス表示モジュール８０６は、前記インターフェイス取得モジュール８０５が取得した前記設定インターフェイスを表示する。
【０１４１】
オプションとして、前記パラメータ取得モジュール８０２は、前記ルーティング管理フレームのＷＳＣ中のＷＳＣＳを取得し、前記ブロードキャスト情報中には、ルーティング管理フレームが含まれている。
【０１４２】
オプションとして、前記検出モジュール８０３は、認識サブモジュール８０３ａ、第１特定サブモジュール８０３ｂ、及び第２特定サブモジュール８０３ｃを含む。
【０１４３】
前記認識サブモジュール８０３ａは、前記ＷＳＣＳのプロパティ値を認識する。
【０１４４】
前記第１特定サブモジュール８０３ｂは、前記ＷＳＣＳのプロパティ値が０ｘ０１であると、前記無線ルータが初期化されていないと特定する。
【０１４５】
前記第２特定サブモジュール８０３ｃは、前記ＷＳＣＳのプロパティ値が０ｘ０２であると、前記無線ルータが既に初期化されていると特定する。
【０１４６】
オプションとして、前記装置は、プロンプト情報表示モジュール８０７をさらに含む。
【０１４７】
前記プロンプト情報表示モジュール８０７は、前記接続構築モジュール８０４が前記端末と前記無線ルータとの間の接続チャンネルを構築する前に、前記無線ルータの設定を選択するか否かをプロンプトするためのプロンプト情報を表示する。
【０１４８】
オプションとして、前記接続構築モジュール８０４は、前記無線ルータの設定を選択したことが検出されると、前記端末と前記無線ルータとの間の接続チャンネルを構築する。
【０１４９】
オプションとして、前記装置は、アドレス取得モジュール８０８をさらに含む。
【０１５０】
前記アドレス取得モジュール８０８は、前記ブロードキャスト情報中に含まれた管理画面アドレスを取得する。
【０１５１】
前記インターフェイス取得モジュール８０５は、前記管理画面アドレスに基づいて、前記無線ルータの設定インターフェイスを取得する。
【０１５２】
上記のように、本発明の実施例によって提供するルータ設定インターフェイス表示装置によると、端末無線ルータが送信したブロードキャスト情報中の設定パラメータに基づいて、当該無線ルータが初期化されているか否かを検出し、当該無線ルータが初期化されていないと、当該無線ルータとの間の接続チャンネルを自動的に構築し、また、当該無線ルータから設定情報を取得して表示することにより、関連技術での、ユーザが接続を構築する処理を実行し、また、管理画面アドレスを手動的に入力する操作を実行しなければならなく、操作過程が複雑になってしまう問題を解決して、ユーザの操作を簡素化して、ユーザエクスペリエンスを改善する効果を得た。
【０１５３】
図１０は、例示的な一実施例に係るルータ設定インターフェイス表示装置を示すブロック図である。当該ルータ設定インターフェイス表示装置は、図１に示した実施環境の無線ルータ１４０に適用される。図１０に示したように、当該ルータ設定インターフェイス表示装置は、状態特定モジュール１００１、パラメータ設定モジュール１００２、及び情報送信モジュール１００３を含むが、これに限定されない。
【０１５４】
状態特定モジュール１００１は、前記無線ルータの初期化状態を特定する。
【０１５５】
パラメータ設定モジュール１００２は、前記初期化状態に基づいて送信待ちのブロードキャスト情報中の設定パラメータを設定する。
【０１５６】
情報送信モジュール１００３は、設定パラメータを設定した後の前記ブロードキャスト情報を送信し、ここで、前記ブロードキャスト情報は、端末が、前記設定パラメータに基づいて前記無線ルータが初期化されていないことが検出されると、前記端末と前記無線ルータとの間の接続チャンネルを構築し、また、前記接続チャンネルを介して前記無線ルータの設定インターフェイスを取得して表示するように、指示するための情報である。
【０１５７】
上記のように、本発明の実施例によって提供するルータ設定インターフェイス表示装置によると、無線ルータの初期化状態に基づいて、無線ルータのブロードキャスト情報中に設定パラメータを設定することにより、端末が、当該設定パラメータに基づいて、当該無線ルータが初期化されていないことが検出されると、当該端末と当該無線ルータとの間の接続チャンネルを構築し、また、当該接続チャンネルを介して、当該無線ルータの設定インターフェイスを取得して表示するようにする。このようにして、関連技術での、ユーザが接続を構築する処理を実行し、また、管理画面アドレスを手動的に入力する操作を実行しなければならなく、操作過程が複雑になってしまう問題を解決して、ユーザの操作を簡素化して、ユーザエクスペリエンスを改善する効果を得た。
【０１５８】
図１１は、例示的な一実施例に係るルータ設定インターフェイス表示装置を示すブロック図である。当該ルータ設定インターフェイス表示装置は、図１に示した実施環境の無線ルータ１４０に適用される。図１１に示したように、当該ルータ設定インターフェイス表示装置は、状態特定モジュール１００１、パラメータ設定モジュール１００２、及び情報送信モジュール１００３を含むが、これに限定されない。
【０１５９】
状態特定モジュール１００１は、前記無線ルータの初期化状態を特定する。
【０１６０】
パラメータ設定モジュール１００２は、前記初期化状態に基づいて送信待ちのブロードキャスト情報中の設定パラメータを設定する。
【０１６１】
情報送信モジュール１００３は、設定パラメータを設定した後の前記ブロードキャスト情報を送信し、ここで、前記ブロードキャスト情報は、端末が、前記設定パラメータに基づいて前記無線ルータが初期化されていないことが検出されると、前記端末と前記無線ルータとの間の接続チャンネルを構築し、また、前記接続チャンネルを介して前記無線ルータの設定インターフェイスを取得して表示するように、指示するための情報である。
【０１６２】
オプションとして、前記パラメータ設定モジュール１００２は、第１設定サブモジュール１００２ａ、及び第２設定サブモジュール１００２ｂを含む。
【０１６３】
前記第１設定サブモジュール１００２ａは、前記無線ルータの初期化状態が初期化されていない状態であると、ルーティング管理フレーム中のＷＳＣＳのプロパティ値を０ｘ０１に設定し、前記ブロードキャスト情報中には、ルーティング管理フレームが含まれている。
【０１６４】
前記第２設定サブモジュール１００２ｂは、前記無線ルータの初期化状態が既に初期化されている状態であると、前記ルーティング管理フレーム中のＷＳＣＳのプロパティ値を０ｘ０２に設定する。
【０１６５】
オプションとして、前記装置は、アドレス付加モジュール１００４をさらに含む。
【０１６６】
前記アドレス付加モジュール１００４は、前記送信待ちのブロードキャスト情報中に、前記無線ルータの管理画面アドレスを付加する。
【０１６７】
上記のように、本発明の実施例によって提供するルータ設定インターフェイス表示装置によると、無線ルータの初期化状態に基づいて、無線ルータのブロードキャスト情報中に設定パラメータを設定することにより、端末が、当該設定パラメータに基づいて、当該無線ルータが初期化されていないことが検出されると、当該端末と当該無線ルータとの間の接続チャンネルを構築し、また、当該接続チャンネルを介して、当該無線ルータの設定インターフェイスを取得して表示するようにする。このようにして、関連技術での、ユーザが接続を構築する処理を実行し、また、管理画面アドレスを手動的に入力する操作を実行しなければならなく、操作過程が複雑になってしまう問題を解決して、ユーザの操作を簡素化して、ユーザエクスペリエンスを改善する効果を得た。
【０１６８】
図１２は、例示的な一実施例に係るルータ設定インターフェイス表示装置１２００を示すブロック図である。例えば、装置１２００は、携帯電話、コンピューター、デジタル放送端末、メッセージ送受信デバイス、ゲームコンソール、タブレットデバイス、医療機器、フィットネス機器、パーソナルデジタルアシスタント等であってもよい。
【０１６９】
図１２を参照して、装置１２００は、プロセスアセンブリ１２０２、メモリ１２０４、電源アセンブリ１２０６、マルチメディアアセンブリ１２０８、オーディオアセンブリ１２１０、入出力（Ｉ／Ｏ）インターフェイス１２１２、センサアセンブリ１２１４、及び通信アセンブリ１２１６のような一つ以上のアセンブリを含んでよい。
【０１７０】
プロセスアセンブリ１２０２は、一般的には装置１２００の全体の動作を制御するものであり、例えば、表示、電話呼び出し、データ通信、カメラ動作、及び記録動作と関連する動作を制御する。プロセスアセンブリ１２０２は、一つ以上のプロセッサ１２１８を含み、これらによって命令を実行することにより、上記の方法の全部、或は一部のステップを実現するようにしてもよい。なお、プロセスアセンブリ１２０２は、一つ以上のモジュールを含み、これらによってプロセスアセンブリ１２０２と他のアセンブリの間のインタラクションを容易にするようにしてもよい。例えば、プロセスアセンブリ１２０２は、マルチメディアモジュールを含み、これらによってマルチメディアアセンブリ１２０８とプロセスアセンブリ１２０２の間のインタラクションを容易にするようにしてもよい。
【０１７１】
メモリ１２０４は、各種類のデータを記憶することにより装置１２００の動作を支援するように構成される。これらのデータの例は、装置１２００において動作するいずれのアプリケーションプログラム又は方法の命令、連絡対象データ、電話帳データ、メッセージ、画像、ビデオ等を含む。メモリ１２０４は、いずれの種類の揮発性メモリ、不揮発性メモリ記憶デバイスまたはそれらの組み合わせによって実現されてもよく、例えば、ＳＲＡＭ（ＳｔａｔｉｃＲａｎｄｏｍＡｃｃｅｓｓＭｅｍｏｒｙ）ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（ Ｐｒｏｇｒａｍｍａｂｌｅ ＲＯＭ）、ＲＯＭ（Ｒｅａｄ ＯｎｌｙＭｅｍｏｒｙ）、磁気メモリ、フラッシュメモリ、磁気ディスク、或いは光ディスクである。
【０１７２】
電源アセンブリ１２０６は、装置１２００の多様なアセンブリに電力を供給する。電源アセンブリ１２０６は、電源管理システム、一つ以上の電源、及び装置１２００のための電力の生成、管理及び割り当てに関連付けられている他のアセンブリを含んでもよい。
【０１７３】
マルチメディアアセンブリ１２０８は、前記装置１２００とユーザの間に一つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スワイプ、及びタッチパネル上のジェスチャを検出することができる。前記タッチセンサは、タッチ、或はスワイプの動作の境界だけでなく、前記のタッチ、或はスワイプ操作に係る継続時間及び圧力も検出できる。上記の実施例において、マルチメディアアセンブリ１２０８は、一つのフロントカメラ、及び／又はリアカメラを含む。装置１２００が、例えば撮影モード、或はビデオモード等の動作モードにある場合、フロントカメラ、及び／又はリアカメラは外部からマルチメディアデータを受信できる。フロントカメラとリアカメラのそれぞれは、一つの固定型の光レンズ系、或は可変焦点距離と光学ズーム機能を有するものであってもよい。
【０１７４】
オーディオアセンブリ１２１０は、オーディオ信号を入出力するように構成されてもよい。例えば、オーディオアセンブリ１２１０は、一つのマイク（ＭＩＣ）を含み、装置１２００が、例えば呼出しモード、記録モード、及び音声認識モード等の動作モードにある場合、マイクは外部のオーディオ信号を受信することができる。受信されたオーディオ信号は、さらにメモリ１２０４に記憶されたり、通信アセンブリ１２１６を介して送信されたりされる。上記の実施例において、オーディオアセンブリ１２１０は、オーディオ信号を出力するための一つのスピーカーをさらに含む。
【０１７５】
Ｉ／Ｏインターフェイス１２１２は、プロセスアセンブリ１２０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、作動ボタン、ロッキングボタンを含んでもよいが、これらに限定されない。
【０１７６】
センサアセンブリ１２１４は、装置１２００に各種の状態に対する評価を提供するための一つ以上のセンサを含む。例えば、センサアセンブリ１２１４は、装置１２００のＯＮ／ＯＦＦ状態、装置１２００のディスプレイとキーパッドのようなアセンブリの相対的な位置決めを検出できる。また、例えば、センサアセンブリ１２１４は、装置１２００、或は装置１２００の一つのアセンブリの位置変更、ユーザと装置１２００とが接触しているか否か、装置１２００の方位、又は加速／減速、装置１２００の温度の変化を検出できる。センサアセンブリ１２１４は、何れの物理的接触がない状態にて付近の物体の存在を検出するための近接センサを含んでもよい。センサアセンブリ１２１４は、撮影アプリケーションに適用するため、ＣＭＯＳ、又はＣＣＤ画像センサのような光センサを含んでもよい。上記の実施例において、当該センサアセンブリ１２１４は、加速度センサ、ジャイロスコープセンサ、磁気センサ、圧力センサ、及び温度センサをさらに含んでもよい。
【０１７７】
通信アセンブリ１２１６は、装置１２００と他の機器の間に有線、又は利便性のよい形態の通信を提供する。装置１２００は、例えばＷｉＦｉ（登録商標）、２Ｇ、３Ｇ、或はこれらの組み合わせのような、通信規格に基づいた無線ネットワークに接続されてもよい。一つの例示的な実施例において、通信アセンブリ１２１６は、放送チャンネルを介して外部の放送管理システムからの放送信号、又は放送に関連する情報を受信する。一つの例示的な実施例において、前記通信アセンブリ１２１６は、近距離無線通信（ＮＦＣ）モジュールをさらに含むことにより、近距離通信を可能にする。例えば、ＮＦＣモジュールは、ＲＦＩＤ（Ｒａｄｉｏ Ｆｒｅｑｕｅｎｃｙ ＩＤｅｎｔｉｆｉｃａｔｉｏｎ）技術、ＩｒＤＡ（Ｉｎｆｒａｒｅｄ Ｄａｔａ Ａｓｓｏｃｉａｔｉｏｎ）技術、ＵＷＢ（Ｕｌｔｒａ Ｗｉｄｅ Ｂａｎｄ）技術、ＢＴ（Ｂｌｕｅｔｏｏｔｈ（登録商標））技術、他の技術に基づいて実現できる。
【０１７８】
例示的な実施例において、装置１２００は、一つ以上のＡＳＩＣ（ＡｐｐｌｉｃａｔｉｏｎＳｐｅｃｉｆｉｃ Ｉｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ Ｐｒｏｃｅｓｓｉｎｇ Ｄｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記方法を実行する。
【０１７９】
例示的な実施例において、さらに、命令を含むコンピュータ読取り可能な非一時的な記録媒体、例えば命令を含むメモリ１２０４を提供しており、装置１２００のプロセッサ１２１８により上記命令を実行して上記方法を実現する。例えば、前記コンピュータ読取り可能な非一時的な記録媒体は、ＲＯＭ、ＲＡＭ、ＣＤ-ＲＯＭ、磁気テープ、フロッピーディスク（登録商標）、光データ記憶デバイス等である。
【０１８０】
図１３は、例示的な一実施例に係るルータ設定インターフェイス表示装置１３００を示すブロック図である。装置１３００は、例えば、ルータ、或いは、交換機、等であってもよい。
【０１８１】
図１３を参照して、装置１３００は、プロセスアセンブリ１３０２、メモリ１３０４、電源アセンブリ１３０６、及び通信アセンブリ１３１６のような一つ以上のアセンブリを含んでよい。
【０１８２】
プロセスアセンブリ１３０２は、一般的には装置１３００の全体の動作を制御するものであり、例えば、アドレスの分析、データの送受信、及びデータフロー制御と関連する動作を制御する。プロセスアセンブリ１３０２は、一つ以上のプロセッサ１３１８を含み、これらによって命令を実行することにより、上記の方法の全部、或は一部のステップを実現するようにしてもよい。なお、プロセスアセンブリ１３０２は、一つ以上のモジュールを含み、これらによってプロセスアセンブリ１３０２と他のアセンブリの間のインタラクションを容易にするようにしてもよい。例えば、プロセスアセンブリ１３０２は、マルチメディアモジュールを含み、これらによってマルチメディアアセンブリ１３０８とプロセスアセンブリ１３０２の間のインタラクションを容易にするようにしてもよい。
【０１８３】
メモリ１３０４は、各種類のデータを記憶することにより装置１３００の動作を支援するように構成される。これらのデータの例は、装置１３００において動作するいずれのアプリケーションプログラム又は方法の命令、連絡対象データ、電話帳データ、メッセージ、画像、ビデオ等を含む。メモリ１３０４は、いずれの種類の揮発性メモリ、不揮発性メモリ記憶デバイスまたはそれらの組み合わせによって実現されてもよく、例えば、ＳＲＡＭ（ＳｔａｔｉｃＲａｎｄｏｍＡｃｃｅｓｓＭｅｍｏｒｙ）ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（ Ｐｒｏｇｒａｍｍａｂｌｅ ＲＯＭ）、ＲＯＭ（Ｒｅａｄ ＯｎｌｙＭｅｍｏｒｙ）、磁気メモリ、フラッシュメモリ、磁気ディスク、或いは光ディスクである。
【０１８４】
電源アセンブリ１３０６は、装置１３００の多様なアセンブリに電力を供給する。電源アセンブリ１３０６は、電源管理システム、一つ以上の電源、及び装置１３００のための電力の生成、管理及び割り当てに関連付けられている他のアセンブリを含んでもよい。
【０１８５】
通信アセンブリ１３１６は、装置１３００と他の機器の間に有線、又は、無線の通信を提供する。装置１３００は、例えば、ＷｉＦｉ（登録商標）ネットワークのような、通信規格に基づいた無線ネットワークを構築してもよい。一つの例示的な実施例において、通信アセンブリ１３１６は、ブロードキャスト・チャンネルを介して、外部にブロードキャスト信号、或は、ブロードキャスト関連情報を送信する。
【０１８６】
例示的な実施例において、装置１３００は、一つ以上のＡＳＩＣ（ＡｐｐｌｉｃａｔｉｏｎＳｐｅｃｉｆｉｃ Ｉｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ Ｐｒｏｃｅｓｓｉｎｇ Ｄｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記方法を実行する。
【０１８７】
例示的な実施例において、さらに、命令を含むコンピュータ読取り可能な非一時的な記録媒体、例えば命令を含むメモリ１３０４を提供しており、装置１３００のプロセッサ１３１８により上記命令を実行して上記方法を実現する。例えば、前記コンピュータ読取り可能な非一時的な記録媒体は、ＲＯＭ、ＲＡＭ、ＣＤ-ＲＯＭ、磁気テープ、フロッピーディスク（登録商標）、光データ記憶デバイス等である。
【０１８８】
上記の実施例の装置について、その各モジュールが実行する操作の具体的な形態は既に当該方法に関する実施例において詳細に説明したため、ここでは詳細に説明しない。
【０１８９】
本発明は上記に記述され、また図面で示した厳密な構成に限定されず、その範囲を逸脱しない限り多様な置換えと変更を行うことができると、理解されるべきである。本発明の範囲は添付の特許請求の範囲のみにより限定される。
【０１９０】
本願は、出願番号がＣＮ２０１４１０７１５５２３.４であって、出願日が２０１４年１２月１日である中国特許出願に基づいて優先権を主張し、当該中国特許出願のすべての内容を援用する。
【国際調査報告】
2017505087.tif 000016
2017505087.tif 000017
2017505087.tif 000018
2017505087.tif 000019